(57)【要約】【課題】遊技機の球貯留タンク及び整列案内流路とを備える裏機構盤を小型化しても製造コストの低減と組み立ての作業性の向上とを図る。【解決手段】球貯留タンク２００と整列案内流路１１０とからなる球貯留供給構造が、裏機構盤本体１７０と、中間構成部材５０と、後構成部材３０とに分割されている。裏機構盤本体１７０は球貯留タンク２００の前壁２４０及び整列案内流路１１０の前案内壁１１３を有する。中間構成部材５０は球貯留タンク２００の底壁前部２１２、傾斜上壁前部２３２及び流下阻止部５０１を有する。後構成部材３０は、球貯留タンク２００の底壁主部２１１、傾斜上壁主部２３１、傾斜下壁２２０及び後壁２５０と、整列案内流路１１０の案内底壁１１１及び後案内壁１１２とを有する。球貯留タンク２００に整列案内流路１１０を近接させて、これらを小型化しても、分割されたそれぞれの部分が簡単な構造となる。【選択図】        図７
2005007060.tif 000002
【特許請求の範囲】
【請求項１】
上面が開口する平面略長方形の箱形に形成され、遊技球を貯留する球貯留タンクと、該球貯留タンクから流下された遊技球を整列して下流側に案内し、樋状に形成される整列案内流路とを、遊技盤が装着される前面枠の裏側に配設される裏機構盤に備え、
前記球貯留タンクを、
前記球貯留タンクの長手方向に沿う遊技機左右方向の一方に下り傾斜させた底壁と、前記底壁の傾斜下流側に位置する傾斜下壁と、前記底壁の傾斜上流側に位置する傾斜上壁と、前記底壁の前記遊技盤側に位置する前壁と、前記前壁と対向する後壁とから箱形に形成し、
前記傾斜下壁の一部と前記前壁の一部が隣合う二辺を形成する略長方形の開口部を前記底壁に設け、
前記開口部の傾斜上壁側の開口縁からの遊技球の流下を阻止する流下阻止部を、前記前壁から前記後壁方向に膨出するように設け、
前記底壁の開口部の前記後壁側に、前記球貯留タンクに貯留されている前記底壁上の遊技球が前記整列案内流路に流下する流下開口縁を形成し、
前記整列案内流路は、
前記球貯留タンクの底壁の傾斜方向とは反対方向に下り傾斜した案内底壁と、前記遊技盤側に位置する前案内壁と、前記前案内壁と対向する後案内壁とから樋状に形成し、当該整列案内流路の上流部を前記球貯留タンクの開口部に臨ませて配置した遊技機において、
前記球貯留タンク及び前記整列案内流路は、
前記球貯留タンクの前壁及び前記整列案内流路の前案内壁を補助壁部として一体に形成した前記裏機構盤の裏機構盤本体と、
前記球貯留タンクの底壁の一部、傾斜上壁の一部及び流下阻止部を一体に形成した中間構成部材と、
前記球貯留タンクの前記中間構成部材で形成される一部の底壁を除く底壁主部、前記中間構成部材で形成される一部の傾斜上壁を除く傾斜上壁主部、前記傾斜下壁、前記後壁、前記整列案内流路の案内底壁及び前記整列案内流路の後案内壁を一体に形成した後構成部材とに分割した分割構造を有し、
前記裏機構盤本体と前記後構成部材との間に前記中間構成部材を挟んで、前記裏機構盤本体に前記後構成部材を取り付けたことを特徴とする遊技機。
【請求項２】
前記球貯留タンクの前記底壁の前記流下開口縁と遊技機前後方向に隣合う部分が、前記底壁の前記開口部より傾斜上流側と連続して形成された平面部と、当該平面部より傾斜下流側から傾斜下壁までの間に形成され、前記平面部より一段下がった段部とに分けられ、
前記傾斜下壁と前記段部とにより補助流路を形成し、
前記平面部は、遊技機前後方向に略水平状態に形成し、前記補助流路は、前記整列案内流路方向に下り傾斜して形成し、
前記傾斜下壁と前記前壁で形成される隅角部の内面を曲面とする隅角曲面部を、前記整列案内流路の底面から球貯留タンクの上部まで、前記後構成部材に形成したことを特徴とする請求項１記載の遊技機。
【請求項３】
前記裏機構盤本体は、
前記前壁に形成され、前記中間構成部材と係合する係合部と、
前記前壁の左右両端の外側にそれぞれ後方に突出して形成され、前記後構成部材に係合するとともに後構成部材と止着される止着係合部と、
左右の止着係合部のうちの前記傾斜上壁側の一方の止着係合部に形成され、前記中間構成部材を支持する受部材とを備え、
前記後構成部材は、
前記裏機構盤本体の左右の止着係合部に対応して傾斜下壁及び傾斜上壁のそれぞれの外側に形成され、前記止着係合部に係合して止着される取付部と、
前記後案内壁の上端部に前記底壁に沿って長く形成されるとともに、中間構成部材と係合する係合長孔とを備え、
前記中間構成部材は、
前記裏機構盤本体の前壁に形成された係合部と係合する被係合部と、
前記裏機構盤本体の一方の受部材に載った状態に係合して支持される被支持部と、
前記後構成部材の後案内壁に形成された係合長孔に挿入されて、前記底壁主部の下面に係合する板状挿入部とを備え、
前記中間構成部材の底壁の一部と、前記後構成部材の底壁主部とが突き合わされるとともに、底壁主部の上面より底壁の一部の上面を高くしたことを特徴とする請求項１又は２に記載の遊技機。
【請求項４】
前記裏機構盤本体には、前記整列案内流路を支持する整列案内流路支持部を、前記案内底壁に沿って該裏機構盤本体から後方に延設し、
前記整列案内流路の案内底壁には、流路に沿って複数の開口部が形成されるとともに、案内底壁の底面の複数箇所に遊技機前後方向に渡って下方に突出した突部を設け、
前記整列案内流路支持部には、前記突部に対応する位置に、前記突部に当接する支持突部を遊技機前後方向に渡って上方に突出して設け、
これら突部及び支持突部により前記案内底壁と前記整列案内流路支持部との間に前記開口部から落下した落下物を溜める落下物貯留部を形成したことを特徴とする請求項１〜３のいずれか１項に記載の遊技機。
【発明の詳細な説明】
【０００１】
【発明の属する技術分野】
本発明は、遊技球を貯留する球貯留タンクと、該球貯留タンクから流下された遊技球を整列して下流側に案内する整列案内流路とを備えた遊技機に関する。
【０００２】
【従来の技術】
一般に、遊技盤の前面の各種入賞口等が設けられた遊技領域に遊技球を発射し、例えば、遊技球が入賞口に入賞した場合に、入賞に対応して遊技球（賞球）を払い出すパチンコ遊技機等の遊技機が知られている。
このような遊技機には、入賞に応じて所定数の遊技球を払い出す球排出装置に遊技球を供給するために、遊技球が貯留される球貯留タンクと、球貯留タンクから流下する遊技球を整列させて球排出装置側に案内する整列案内流路とを備えている。なお、球排出装置は、入賞に対応する賞球の払い出しの他に、例えば、球貸装置からの信号に基づいて、遊技球（貸球）を払い出す場合もある。
【０００３】
従来、前記球貯留タンクと、整列案内流路とは、合成樹脂からなり、それぞれ別部材として成型されていた。また、パチンコ遊技機の機枠に開閉自在に取り付けられるとともに前記遊技盤を支持する前面枠の裏面に裏機構盤が取り付けられ、前記球貯留タンクと、整列案内流路とは、裏機構盤の一部として裏機構盤本体に取り付けられていた。
パチンコ遊技機の製造コストや組み立ての容易さを考慮した場合に、球貯留タンクと整列案内流路とが一体の部材として１つの成型用金型で成型されることが望ましい。しかし、球貯留タンクと整列案内流路とを一体の部材とした場合に形状が複雑で、成型が困難であった。
【０００４】
そこで、球貯留タンクの一部と裏機構盤本体とを一体に形成し、かつ、球貯留タンクの残りの部分と整列案内流路（タンクレール）とを一体に形成する構成、言い換えれば、球貯留タンクを裏機構盤本体に一体に形成する部分と、整列案内流路に一体に形成する部分とに分割した構成とすることにより、裏機構盤本体の金型と整列案内流路用の金型とがあれば、球貯留タンクも形成できることになり製造コストの低減を図ることができる（例えば、特許文献１参照。）。
また、このような構成とすれば、裏機構盤本体に整列案内流路を取り付けることにより、球貯留タンクも裏機構盤本体に取り付けられた状態となり、パチンコ遊技機の組み立ても容易となる。
【０００５】
一方、球貯留タンクは、上方が開放された箱状となっており、遊技機の左右方向に長い平面長方形となっている。そして、例えば、球貯留タンクの底面を構成する底壁は、遊技機の後から向かって右から左に下がるように傾斜している。そして、底壁の傾斜下流側端部に開口部が形成され、整列案内流路の上流側端部が前記開口部の下に配置されており、球貯留タンク内の遊技球が底壁の傾斜に沿って開口部に向かい、開口部から整列案内流路に流下するようになっている。
【０００６】
なお、球排出装置は、上述の遊技球の入賞等に基づいて、必要な時だけ遊技球を払い出すので、球貯留タンクから整列案内流路への球の流れは、貯留された遊技球が常時は止まった状態で、球排出装置が作動した時だけ遊技球が流れるようになっている。上述のような球貯留タンクにおいては、遊技球が流れていない状態で、底壁の傾斜により球貯留タンク内の遊技球の荷重の多くが、底壁の開口部から整列案内流路の部分に貯まっている状態の遊技球にかかった状態となっている。また、上流側からの遊技球の荷重（球圧）により、底壁の開口部から整列案内流路の部分に遊技球が幾重にも重なって大きな固まりとなりやすい。すなわち、底壁の開口部及びその周囲では、球貯留タンクの各種部材や整列案内流路の各種部材間に挟まれた状態の複数の遊技球が互いに噛み合って大きな固まりとなった状態又は大きな固まりとならなくても球同士が噛み合ってブリッジした状態で、かつ、比較的大きな荷重がかかった状態となる可能性が高い。
【０００７】
このような状態で、球排出装置から球の払い出しが行われると、下流側の遊技球が球排出装置を介して遊技機の上皿に流下する。これに伴い整列案内流路の下流側の遊技球が流れることにより、球貯留タンク内の遊技球は開口部を介して整列案内流路に流下することになるが、上述のように球が噛み合って固まりとなった状態で大きな荷重がかかっていると、それより下流の遊技球が流下しても互いに噛み合った遊技球は流下せずに留まったままの状態となる場合がある。このようなことから、遊技機において、頻繁に球詰まりが生じ、遊技球の払い出しが止まってしまう可能性があった。
【０００８】
そこで、球貯留タンクの底壁の開口部において、この開口部の傾斜上流側の開口縁に、この開口縁からの遊技球の流下を阻止する球誘導壁（流下阻止部）を設け、遊技球が傾斜に沿った球貯留タンクの長手方向に流下してそのまま開口部内に流下するのを防止し、球貯留タンクの長手方向（主な傾斜方向）と略直交する方向から開口部に流下させるようにした球貯留タンクが提案されている（例えば、特許文献２参照。）。このような構成とすることにより、球貯留タンクの主な傾斜方向である長手方向の上流側から遊技球の荷重の一部を前記球誘導壁で受け止め、球貯留タンクの長手方向と略直交する方向から開口部に流下する遊技球に大きな荷重がかかるのを抑制することにより、遊技球が互いに噛み合って大きな固まりとなることで遊技球が詰まった状態となるのを防止している。
【０００９】
【特許文献１】
特開２００１−１７６９８号公報（第２−３頁、図３）
【特許文献２】
特開平１１−２５３６３０号公報（第３頁、図３）
【００１０】
【発明が解決しようとする課題】
ところで、前記特許文献１においては、球貯留タンクの遊技機前後方向の前側の部分が裏機構盤本体と一体に形成されるので、裏機構盤本体の形状が多少複雑化する。ここで、球詰まりを防止するために、前記特許文献２に示されるように、球貯留タンクに球誘導壁（流下阻止部）を形成するものとした場合に、流下阻止部は、裏機構盤本体に形成された球貯留タンクの前側部分に形成される構造となる可能性が高く、裏機構盤側の球貯留タンク部分に流下阻止部が形成されるものとした場合に、裏機構盤本体側の球貯留タンク部分の底壁上に流下阻止部となる構造が配置され、裏機構盤本体の形状がかなり複雑化し、裏機構盤本体の一体成型が難しなり、成型にコストがかかる可能性が高い。
【００１１】
そこで、流下阻止部を裏機構盤本体側ではなく、整列案内流路と一体に形成するものとすると、樋状の整列案内流路上に上下に重なって流下阻止部が配置されることになり、この場合も成型が難しい形状となる可能性が高い。
また、パチンコ遊技機においては、ディスプレイ（変動表示装置）や電気的発光装置や電動装置等を用いたゲームの演出が高度化し、遊技盤裏面に配置される上述の各種装置やその制御装置などの各種電気的遊技装置が大型化しており、これら電気的遊技装置を配置する空間を確保するために、整列案内流路を高い位置に配置することが望まれている。従って、整列案内流路と球貯留タンクとの上下距離を近づける必要があり、整列案内流路と流下阻止部との上下距離も近接することになるので、樋状の整列案内流路の直ぐ上に流下阻止部が配置された構造となり、極めて成型が困難な形状となる。
【００１２】
すなわち、特許文献１においては、球貯留タンクの整列案内流路と上下に重なる部分を裏機構盤本体側に設けることで、整列案内流路と球貯留タンクの一部とを一体に成型することを可能としているのに、整列案内流路と上下に重なる流下阻止部を整列案内流路と一体に成型するものとすれば、一体成型が難しくなる。
以上のように、特許文献１のように球貯留タンクの一部と裏機構盤本体を一体に成型する構成とするとともに、球貯留タンクの残りの部分と整列案内流路とを一体に成型する構成とした場合に、特許文献２に示される流下阻止部を形成することが極めて困難となる。
【００１３】
さらに、特許文献１においては、裏機構盤本体に隣接するように配置される整列案内流路が樋状（すなわち、遊技盤裏面に沿って左右に延在する底壁と、底壁の遊技機前後方向の前側の側壁と、後側の側壁とかなる形状）に形成されているので、整列案内流路を裏機構盤本体に取り付ける構造とすると、裏機構盤本体と整列案内流路の前側（裏機構盤側）の側壁とが前後に重なった形状となる。従って、整列案内流路と、裏機構盤とを接合する上では、接合しやすい形状となるが、整列案内流路の底壁の前側に壁が二重に形成された状態となり、樹脂製とした場合の樹脂の使用量や樹脂の成型等を考慮した場合に無駄な構造となる。
【００１４】
本発明の課題は、流下阻止部を有する球貯留タンク及び整列案内流路とを備える裏機構盤の製造コストの低減と組み立ての作業性の向上とを図ることができる遊技機を提供することである。
【００１５】
【課題を解決するための手段】
上記課題を解決するため、請求項１に記載の発明は、上面が開口する平面略長方形の箱形に形成され、遊技球を貯留する球貯留タンクと、該球貯留タンクから流下された遊技球を整列して下流側に案内し、樋状に形成される整列案内流路とを、遊技盤が装着される前面枠の裏側に配設される裏機構盤に備え、
前記球貯留タンクを、
前記球貯留タンクの長手方向に沿う遊技機左右方向の一方に下り傾斜させた底壁と、前記底壁の傾斜下流側に位置する傾斜下壁と、前記底壁の傾斜上流側に位置する傾斜上壁と、前記底壁の前記遊技盤側に位置する前壁と、前記前壁と対向する後壁とから箱形に形成し、
前記傾斜下壁の一部と前記前壁の一部が隣合う二辺を形成する略長方形の開口部を前記底壁に設け、
前記開口部の傾斜上壁側の開口縁からの遊技球の流下を阻止する流下阻止部を、前記前壁から前記後壁方向に膨出するように設け、
前記底壁の開口部の前記後壁側に、前記球貯留タンクに貯留されている前記底壁上の遊技球が前記整列案内流路に流下する流下開口縁を形成し、
前記整列案内流路は、
前記球貯留タンクの底壁の傾斜方向とは反対方向に下り傾斜した案内底壁と、前記遊技盤側に位置する前案内壁と、前記前案内壁と対向する後案内壁とから樋状に形成し、当該整列案内流路の上流部を前記球貯留タンクの開口部に臨ませて配置した遊技機において、
前記球貯留タンク及び前記整列案内流路は、
前記球貯留タンクの前壁及び前記整列案内流路の前案内壁を補助壁部として一体に形成した前記裏機構盤の裏機構盤本体と、
前記球貯留タンクの底壁の一部、傾斜上壁の一部及び流下阻止部を一体に形成した中間構成部材と、
前記球貯留タンクの前記中間構成部材で形成される一部の底壁を除く底壁主部、前記中間構成部材で形成される一部の傾斜上壁を除く傾斜上壁主部、前記傾斜下壁、前記後壁、前記整列案内流路の案内底壁及び前記整列案内流路の後案内壁を一体に形成した後構成部材とに分割した分割構造を有し、
前記裏機構盤本体と前記後構成部材との間に前記中間構成部材を挟んで、前記裏機構盤本体に前記後構成部材を取り付けたことを特徴としている。
【００１６】
ここで、遊技機とは、例えば、遊技球を用いる各種パチンコ遊技機、アレンジボール遊技機、雀球遊技機等の弾球遊技機であるが、遊技機の遊技領域内に発射する遊技球として貸し出される貸球や、入賞等に対応して遊技者に付与される遊技球としての賞球を供給するための球貯留タンクと、球貯留タンク内の遊技球を整列された状態で下流側に導く整列案内流路とを備えた遊技機であればどのような遊技機であっても良い。従って、遊技機は、遊技媒体として遊技球を用いるものであれば、弾球遊技機以外の遊技機であっても良い。
【００１７】
請求項１に記載の発明によれば、球貯留タンクと整列案内流路とからなる球貯留供給構造が、前記球貯留タンクの前壁及び前記整列案内流路の前案内壁を一体に形成した前記裏機構盤本体と、前記球貯留タンクの底壁の一部、傾斜上壁の一部及び流下阻止部を一体に形成した中間構成部材と、前記球貯留タンクの底壁主部、傾斜上壁主部、傾斜下壁、後壁、前記整列案内流路の案内底壁及び後案内壁を一体に形成した後構成部材とに分割されているので、後構成部材は、球貯留タンクの傾斜上壁主部、前記傾斜下壁、前記後壁とからなる箱を半分に分割した形状（断面略Ｌ字状）と、整列案内流路の案内底壁と後案内壁とからなる断面略Ｌ字状の構造とからなり、極めて成型が容易な構造となる。
【００１８】
また、裏機構盤本体も、球貯留タンク及び整列案内流路の部分を見れば、前壁及び前案内壁を一体に形成した板状の極めて成型が容易な構造となる。
また、球貯留タンクの形状を複雑化する流下阻止部を裏機構盤本体及び後構成部材とは別の中間構成部材に設けたので、流下阻止部により球詰まりを防止可能としても、裏機構盤本体や後構成部材が複雑になることがない。また、中間構成部材も底壁の一部、傾斜上壁の一部及び流下阻止部を一体に形成した成型が容易な構造となる。
【００１９】
また、球貯留タンクと整列案内流路とからなる球貯留供給構造が、裏機構盤本体と、中間構成部材と、後構成部材との三つの部材からなることにより、成型に必要な金型は、裏機構盤本体、球貯留タンク、整列案内流路とを別部材とした場合と同様に三つ必要になるが、裏機構盤本体と、中間構成部材と、後構成部材とがそれぞれ簡単な構造なので、簡単な構造の金型で製造が可能となり、金型のコストを低減できる。特に、球貯留タンクに流下阻止部を設けた場合に、球貯留タンクの形状が複雑化し、球貯留タンクを一体に形成しよとすると複雑な形状の金型が必要になるが、球貯留タンクが裏機構盤本体の前壁と、中間構成部材の流下阻止部、底壁の一部及び傾斜上壁の一部と、後構成部材の底壁主部、傾斜上壁主部、傾斜下壁及び後壁とに分けることで、簡単な構造で成型しやすいものにできる。
【００２０】
また、上述のように球貯留タンク及び整列案内流路とからなる球貯留供給構造を上述のようにそれぞれ一体成型される三つの部材からなるものとすれば、整列案内流路を高い位置に配置するために、球貯留タンクと流下阻止部とを近接させることにより、球貯留タンクの流下阻止部と整列案内流路とが上下に近接する構造となっても、後構成部材に配置される整列案内流路の部分と、整列案内流路上に配置される流下阻止部等の球貯留タンクの一部となる中間構成部材とが別部材となっているので、成型が困難な構造となることがない。
従って、球貯留タンクに流下阻止部を設けるものとしても、整列案内流路を高い位置に配置し、整列案内流路の下側の遊技盤裏面に対応する位置に大型の電気的遊技装置を配置するための空間を確保することができる。
また、裏機構盤本体に整列案内流路の前案内壁を設け、後構成部材に整列案内流路の底壁と後案内壁を設けたので、前記特許文献１のように、整列案内流路の前側に壁が二重に重なった構造となることがなく、極めて効率的な構造とすることができる。
【００２１】
また、裏機構盤本体と前記後構成部材との間に前記中間構成部材を挟んで、前記裏機構盤本体に前記後構成部材を取り付けることができるので、球貯留タンクと整列案内流路とからなる球貯留供給構造が、裏機構盤本体と、中間構成部材と、後構成部材との三つの部材からなるものとしても極めて容易に裏機構盤に球貯留タンクと整列案内流路を取り付けた状態とすることができる。
【００２２】
請求項２に記載の発明は、請求項１記載の遊技機において、
前記球貯留タンクの前記底壁の前記流下開口縁と遊技機前後方向に隣合う部分が、前記底壁の前記開口部より傾斜上流側と連続して形成された平面部と、当該平面部より傾斜下流側から傾斜下壁までの間に形成され、前記平面部より一段下がった段部とに分けられ、
前記傾斜下壁と前記段部とにより補助流路を形成し、
前記平面部は、遊技機前後方向に略水平状態に形成し、前記補助流路は、前記整列案内流路方向に下り傾斜して形成し、
前記傾斜下壁と前記前壁で形成される隅角部の内面を曲面とする隅角曲面部を、前記整列案内流路の底面から球貯留タンクの上部まで、前記後構成部材に形成したことを特徴としている。
【００２３】
請求項２に記載の発明によれば、平面部及び段部から流下開口縁を通るとともに開口部を介して整列案内流路に遊技球が流下することになるが、その際の遊技球の流下方向は、球貯留タンクの後壁側から前壁側に向かうものとなる。また、裏機構盤本体側に球貯留タンクの前壁と整列案内流路の前案内壁とがあり、その他の球貯留タンク及び整列案内流路の部分が、裏機構盤本体に後から取り付けられる中間構成部材及び後構成部材にある。従って、遊技球が後壁側から前壁側に遊技機の後から前に向かって流下すると、裏機構盤本体から後構成部材及び中間構成部材を引き剥がすように力が働く可能性があるが、平面部が遊技機前後方向に水平となっているので、平面部において遊技球の荷重に基づく球圧が、後構成部材及び中間構成部材を裏機構盤本体から引き剥がす向きに作用するのを抑制することができる。
【００２４】
また、段部の補助流路においては、開口部に上端部を望ませた整列案内流路方向に下り傾斜しているので、補助流路上の遊技球の荷重が球圧として前壁側、すなわち、補助流路を構成する傾斜下壁と接合して隅角部を形成する前壁の端部に作用することになるが、補助流路を構成する傾斜下壁と前壁で形成される隅角部、すなわち、補助流路上の遊技球の流下先となる隅角部の内面を曲面とする隅角曲面部が後構成部材側にあるので、上述の球圧を後構成部材の隅角曲面部が受けることになり、裏機構盤本体に球圧がかからない。
【００２５】
以上のことから、球貯留タンク及び整列案内流路を裏機構盤本体側と後構成部材（及び中間構成部材）側とに分け、球貯留タンク内の遊技球が後構成部材側から裏機構盤本体側に流下して整列案内流路に至るものとしても、裏機構盤本体と、後構成部材とを引き剥がすように遊技球の球圧が作用するのを防止して、裏機構盤本体と後構成部材との取付部分に負荷がかかるのを防止し、球貯留タンク２００の耐久性を向上することができる。
なお、平面部は、遊技機前後方向に略水平とされることで、平面部から開口部を介して整列案内流路に至る際に、平面部から整列案内流路側に大きな球圧がかかるのを防止し、これにより、球圧により遊技球が互いに噛み合った大きな固まりとなったり、互いに噛み合ってブリッジした状態となったりするのを防止する。
【００２６】
また、補助流路は、平面部を開口部側に下り傾斜した構成とせずに、上述のように遊技機の前後方向に水平としたことにより、球貯留タンク内の遊技球が少なくなった際に球貯留タンク内に遊技球が残ってしまうのを防止するもので、平面部上の球は底壁の傾斜に沿って補助流路に至り、さらに、補助流路の傾斜に沿って整列案内流路に至る。
また、隅角曲面部は、補助流路を遊技機前後方向に沿って流下する遊技球が整列案内流路に至り、方向を転換して整列案内流路を遊技機左右方向に流下する状態となる際に、上述の隅角部で遊技球を円滑に方向転換させるためのものである。
【００２７】
請求項３に記載の発明は、請求項１〜３のいずれか１項に記載の遊技機において、
前記裏機構盤本体は、
前記前壁に形成され、前記中間構成部材と係合する係合部と、
前記前壁の左右両端の外側にそれぞれ後方に突出して形成され、前記後構成部材に係合するとともに後構成部材と止着される止着係合部と、
左右の止着係合部のうちの前記傾斜上壁側の止着係合部に形成され、前記中間構成部材を支持する受部材とを備え、
前記後構成部材は、
前記裏機構盤本体の左右の止着係合部に対応して傾斜下壁及び傾斜上壁のそれぞれの外側に形成され、前記止着係合部に係合して止着される取付部と、
前記後案内壁の上端部に前記底壁に沿って長く形成されるとともに、中間構成部材と係合する係合長孔とを備え、
前記中間構成部材は、
前記裏機構盤本体の前壁に形成された係合部と係合する被係合部と、
前記裏機構盤本体の一方の受部材に載った状態に係合して支持される被支持部と、
前記後構成部材の後案内壁に形成された係合長孔に挿入されて、前記底壁主部の下面に係合する板状挿入部とを備え、
前記中間構成部材の底壁の一部と、前記後構成部材の底壁主部とが突き合わされるとともに、底壁主部の上面より底壁の一部の上面を高くしたこと特徴としている。
【００２８】
請求項３に記載の発明によれば、裏機構盤本体と後構成部材との間に中間構成部材を挟んで、裏機構盤本体に後構成部材を取り付ける際に、裏機構盤本体の前壁の左右外側の止着係合部に、後構成部材の傾斜下壁及び傾斜上壁のそれぞれの外側に形成された取付部を係合させて止着することにより、裏機構盤本体に後構成部材を取り付ける。
この際に、中間構成部材は、例えば、裏機構盤本体の係合部に被係合部を係合させるとともに止着係合部に形成された受部材に被支持部を係合させ、かつ、
後構成部材の後案内壁に形成された係合長孔に板状挿入部を挿入させることで、裏機構盤本体と後構成部材とに固定される。
すなわち、裏機構盤本体に後構成部材を止着することにより、中間構成部材も固定されることになり、球貯留供給構造が三つの部材からなるものとしても、容易に組み立てることができる。
また、中間構成部材は、裏機構盤本体の前壁の係合部と、裏機構盤本体の前壁の外側の止着係合部に形成された受部材とで裏機構盤に支持され、後構成部材の係合長孔に板状挿入部を挿入させるとともに板状挿入部を後構成部材の底壁主部の下面に係合（例えば面接触）させることで支持されるので、中間構成部材を裏機構盤本体及び後構成部材に挟むだけの構成としても、中間構成部材は、裏機構盤本体及び後構成部材に強固に組み付けられる。
【００２９】
また、裏機構盤本体に後構成部材を取り付ける前に、中間構成部材を裏機構盤本体もしくは後構成部材に係合さておく必要があるが、例えば、中間構成部材を先に裏機構盤本体に係合させた場合には、裏機構盤本体に後構成部材を取り付ける間、裏機構盤本体の係合部と受部材とにより容易に裏機構盤本体に中間構成部材を支持させた状態に保つことができ、中間構成部材を先に後構成部材に係合させた場合には、裏機構盤本体に後構成部材を取り付ける間、後構成部材の係合長孔に板状挿入部を挿入させるとともに板状挿入部を後構成部材の底壁主部の下面に係合させることで、後構成部材に中間構成部材を支持させた状態に保つことができる。従って、間に中間構成部材を挟んだ状態で容易に裏機構盤本体と後構成部材と接合することができる。
【００３０】
また、球貯留タンクの遊技球が少なくなった場合に、中間構成部材の底壁の一部と、後構成部材の底壁主部とを突き合わせた接合部に例えば溝が生じてしまうと、遊技球がその溝の部分で止まってしまい流れなくなる可能性があるが、中間構成部材の底壁の一部と、後構成部材の底壁主部とが突き合わされるとともに、底壁主部の上面より底壁の一部の上面を高くしたので、遊技球が底壁の中間構成部材と後構成部材との接合部上で止まることがなく、中間構成部材の底壁の一部側から後構成部材の底壁主部側に流れることになる。
また、中間構成部材の底壁の一部側は、流下阻止部との傾斜上壁の一部と一体に構成される部材であることから、基本的に流下阻止部の底壁の傾斜上流側の底壁部分であり、この底壁部分上の遊技球は、底壁の傾斜方向に流下すると流下阻止部に流下を阻止される。従って、中間構成部材の底壁の一部上の遊技球を後構成部材の底壁主部側に誘導する必要があり、例えば、流下阻止部の底壁上流側から流下する遊技球を流下阻止部が底壁主部側に誘導する形状となっている必要がある。ここで、中間構成部材の底壁の一部と後構成部材の底壁主部との突き合わせ部分で、底壁主部の上面より底壁の一部の上面が低くなってしまうと、底壁の一部から底壁主部への遊技球の移動が妨げられ、流下阻止部の上流側に遊技球が残留する原因となってしまう。従って、上述のように底壁主部の上面より底壁の一部の上面が高くなるように設計しておくことで、製造誤差等が生じても、底壁の一部の上面が底壁主部の上面より低くなって遊技球が残留するのを防止することができる。
【００３１】
請求項４に記載の発明は、請求項１〜３のいずれか１項に記載の遊技機において、
前記裏機構盤本体には、前記整列案内流路を支持する整列案内流路支持部を、前記案内底壁に沿って該裏機構盤本体から後方に延設し、
前記整列案内流路の案内底壁には、流路に沿って複数の開口部が形成されるとともに、案内底壁の底面の複数箇所に遊技機前後方向に渡って下方に突出した突部を設け、
前記整列案内流路支持部には、前記突部に対応する位置に、前記突部に当接する支持突部を遊技機前後方向に渡って上方に突出して設け、
これら突部及び支持突部により前記案内底壁と前記整列案内流路支持部との間に前記開口部から落下した落下物を溜める落下物貯留部を形成したことを特徴としている。
【００３２】
請求項４に記載の発明によれば、整列案内流路を裏機構盤本体の前案内壁と、後構成部材の案内底壁及び後案内壁とに二分割するものとしても、案内底壁が裏機構盤本体の整列案内流路支持部により下方から支持されて、整列案内流路が強固なものとなる。
すなわち、案内底壁と前案内壁とが別部材となっていることから、基本的に案内底壁は、後案内壁に片持（片支持）された状態となるとともに、球貯留タンクにおいても、前壁と、後案内壁に接合される底壁（底壁主部）とが別部材とされることから、底壁が後壁に片支持された状態なるが、案内底壁の下に裏機構盤本体の整列案内流路支持部が配置され、案内底壁を支持することにより、案内底壁及び底壁が両支持された状態となり、強固な構造となる。また、案内底壁の前端を前案内壁に接合させれば、案内底壁を両支持した状態となるが、案内底壁の前端を前案内壁に強固に接合構造とすると、接合に手間がかかる可能性が高い。それに対して、整列案内流路支持部上に案内底壁を載置する構造とすれば、案内底壁を容易に前案内壁側に強固に接合することが可能となる。
【００３３】
また、遊技球と一緒にゴミが球貯留タンクに補給されたような場合に、案内底壁の開口部からゴミ（落下物）を落下させることができ、かつ、ゴミを整列案内流路支持部上の落下物貯留部に溜めることができるので、ゴミが整列案内流路の下方の電気的遊技装置等に落下して悪影響を与えるのを防止できる。なお、遊技球は、ペレット（研磨剤）と共に撹拌されることにより、洗浄、研磨されるが、このペレットが補給される遊技球に紛れ込むことがあり、上述のような構造により紛れ込んだペレットも除去できる。
【００３４】
【発明の実施の形態】
以下、図面を参照して、本発明に係る実施の形態について説明する。
本実施の形態は、本発明に係る遊技機の適例としてのパチンコ遊技機について説明を行うものである。
【００３５】
パチンコ遊技機１の背面側を図示した図１及び図２に示すように、本実施の形態のパチンコ遊技機１は、矩形枠状に構成された本体枠（機枠）２を備え、この本体枠２の一側方には、該本体枠２に対し回動可能に矩形枠状の前面枠３が軸支されている。
【００３６】
このうち前面枠３の下部より上（中央部及び上部）には、遊技盤収納部４が設けられ、遊技盤収納部４に図示しない遊技盤が配置される。なお、遊技盤は前面枠３に遊技盤収納部４を介して着脱可能に取り付けられている。
パチンコ遊技機１は、図示しない遊技盤の前面に設けられた遊技領域内に遊技球Ｓ（球：遊技媒体：図５に図示）を発射して（打込んで）遊技を行うものであり、該遊技領域には、遊技球Ｓが入賞する各種入賞口（例えば、一般入賞口、変動入賞装置等）が設けられ、各種入賞口に遊技球Ｓが入賞すると後述する裏機構盤側から賞球（遊技球Ｓ）が払い出されるようになっている。また、遊技領域には、遊技領域に発射され、入賞口に入賞しなかったアウト球（遊技球Ｓ）を回収するためのアウト穴が設けられている。また、パチンコ遊技機には、例えば、遊技球Ｓが所定の入賞口に入賞した場合や、遊技球Ｓが所定のゲートを通過した場合に、変動表示ゲームを行う変動表示装置や、所定の動作を行う電動役物を備えた変動入賞装置が設けられている。
【００３７】
また、前面枠３の前側下部には、後述するように排出された遊技球Ｓを貯留する上皿（図示略）、この上皿から発射球（遊技球Ｓ）を発射装置５（図２に図示）に送る機構などが備えられている。
また、前面枠３の前側の上皿の下には上皿に収容しきれない遊技球Ｓを収容する下皿（図示略）、前記遊技領域に向けての遊技球Ｓの発射操作を行うとともに、該遊技領域に遊技球Ｓを発射する際の発射勢を調節するための操作ハンドル（図示略）などが設けられている。
【００３８】
パチンコ遊技機１の前面枠３は合成樹脂により形成されるとともに、前面枠３の裏面側には、遊技盤に対応する開口部６を有する裏機構ベース部７（図２に図示）が前面枠３と一体に設けられている。
そして、裏機構ベース部７は、前面枠３の裏機構盤を取り付けるための部分であり、裏機構ベース部７には、開口部６の上側及び右側（遊技機１の後から見て）に沿って逆Ｌ字状に上裏機構盤１００（本発明の裏機構盤）が取り付けられている。なお、以降の説明において、左右は、遊技機１の後から見た左右であり、前後は、遊技機１の遊技領域が設けられた前面側を前とした遊技機１の前後方向に対応するものである。
また、遊技機１を裏面から見た場合に、遊技機１の右側が本体枠２に対して扉状に開閉するように回転可能な前面枠３の軸着側となり、遊技機１の左側が前面枠３の開放端側となる。
また、裏機構ベース部７の開口部６の下側には、下裏機構盤１０が設けられている。
【００３９】
下裏機構盤１０には、遊技機１に備えられた各電子・電気部品に電力を供給する電源回路１１と、発射装置５及び後述する球排出装置１２０を図示しない遊技制御回路（メイン制御基板：遊技制御装置）の制御下で制御する排出発射回路１２とを備えている。
また、下裏機構盤１０の排出発射回路１２の前側には、遊技機１の前面の前記操作ハンドルの操作に応じた発射勢で遊技球Ｓを遊技領域に発射させる前記発射装置５が設けられている。また、下裏機構盤１０の排出発射回路１２の前側には、上裏機構盤１００から排出された遊技球Ｓを上皿や下皿に流出させる流出経路（図示略）が設けられている。
【００４０】
なお、遊技盤の裏面で、裏機構ベース部７の開口部に対応する部分には、変動表示装置や、その制御を行う演出制御回路（サブ制御基板：演出制御装置）や上述の遊技制御回路（メイン制御基板：遊技制御装置）、その他の遊技演出用の装置等の各種電気的遊技装置が配置される。
そして、上裏機構盤１００には、図３〜５に示すように、本発明に係わる球貯留タンク２００と球貯留タンク２００から流下された遊技球Ｓを整列して下流側に案内する整列案内流路１１０と、排出発射回路１２からの制御信号に従った球数の遊技球Ｓを払い出す球排出装置１２０（図５、６に図示）と、整列案内流路１１０と球排出装置１２０との間に配置され、整列案内流路１１０から球排出装置１２０に遊技球Ｓを整列した状態で送る遊技球Ｓの流路となるとともに、排出可能な遊技球Ｓが、例えば、１回の排出球数の最大値である所定数以下となるのを検知する最少必要球検知ユニット１３０（図５、６に図示）と、球排出装置１２０から排出された遊技球Ｓを上皿側に流出させる下部流路１４０（図５、６に図示）と、最少必要球検知ユニット１３０に設けられた球抜き機構１３１（図５に図示）により、球排出装置１２０を介さずに遊技球Ｓを流下させる球抜き経路１５０と、球貯留タンク２００内の遊技球Ｓの残量が所定量（補給が開始される量）以下となるのを検知する球残量検知装置（図示略）等の信号線が接続されるとともに、島設備側に接続される信号線が接続される外部端子部１６０と、上裏機構盤１００に備えられる上述の各部材、装置等を支持する裏機構盤本体１７０等とが備えられている。なお、最少必要球検知ユニット１３０の一部、球排出装置１２０、下部流路１４０、球抜き経路１５０等は、カバー１０１に覆われた状態となっている。
【００４１】
球貯留タンク２００は、球排出装置１２０から排出される遊技球Ｓを予め貯留しておくものであり、上面が開口する平面略長方形の箱形に形成されている。また、平面略長方形の球貯留タンク２００は、その長手方向を遊技機１の左右方向に沿わせた状態で、前面枠３の裏側に、裏機構ベース部７を介して上裏機構盤１００の他の部材とともに取り付けられている。
また、球貯留タンク２００は、この球貯留タンク２００の長手方向に沿う遊技機１の左右方向の一方に下り傾斜させた底壁２１０と、底壁２１０の傾斜下流側に位置する傾斜下壁２２０と、底壁２１０の傾斜上流側に位置する傾斜上壁２３０と、底壁２１０の遊技盤（前面枠３）側に位置する前壁２４０と、前壁２４０と対向する後壁２５０とから箱形に形成されている。なお、傾斜下壁２２０と傾斜上壁２３０とが互いに平行に配置され、前壁２４０と後壁２５０とが互いに平行に配置され、傾斜下壁２２０及び傾斜上壁２３０に対して前壁２４０及び後壁２５０が直交して配置されている。
【００４２】
また、球貯留タンク２００は、整列案内流路１１０と一体に形成されるとともに、一体となる球貯留タンク２００及び整列案内流路１１０は、三つの部材から構成されている。すなわち、球貯留タンク２００及び整列案内流路１１０は、底壁２１０の主要部（後述の中間構成部材５０側の後述する底壁前部２１２を除く部分）となる底壁主部２１１、傾斜下壁２２０、傾斜上壁２３０の主要部（中間構成部材５０側の後述の傾斜上壁前部２３２を除く部分）となる傾斜上壁主部２３１、後壁２５０、整列案内流路１１０の後述する案内底壁１１１、及び整列案内流路１１０の後述する後案内壁１１２を一体に形成した後構成部材３０と、球貯留タンク２００の前壁２４０及び整列案内流路１１０の後述する前案内壁１１３を一体に形成し、かつ、裏機構盤本体１７０の後述する上部裏機構盤本体１７１に一体に設けられる補助壁部４０（前構成部）と、底壁２１０の前壁２４０側の底壁前部２１２（底壁２１０の一部）、傾斜上壁２３０の前壁２４０側の傾斜上壁前部２３２（傾斜上壁２３０の一部）、及び後述する流下阻止部５０１とを一体に形成した中間構成部材５０とからなっている。
【００４３】
底壁２１０は、上述の底壁主部２１１と底壁前部２１２とが遊技機１の前後方向に接合されたもので、遊技機１の後から見て右端部より左端部が低くなるように右から左に下り傾斜して配置されている。従って、以降の説明において、左側が底壁２１０の傾斜下流側となり、右側が底壁２１０の傾斜上流側となる。また、底壁２１０は、球貯留タンク２００に対応して略長方形状に形成され、その長手方向が傾斜方向となるとともに、遊技機１の左右方向に沿った方向となる。また、底壁２１０は、後述する段部２１８を除いて前後方向に沿って略水平となっており、左右方向にだけ傾斜した状態となっている。
また、底壁２１０の傾斜下流側（左）端部の遊技機１の前後方向の前側となる部分に整列案内流路１１０への流入口となる開口部２１３が形成されている。
【００４４】
底壁２１０の開口部２１３は、傾斜下壁２２０の一部（前部）と前壁２４０の一部（左部）が隣合う二辺を形成する略長方形に形成されている。すなわち、開口部２１３は、その左側に傾斜下壁２２０が配置され、前側に前壁２４０が配置されている。さらに、開口部２１３の後側は、後側から前側に向かう遊技球Ｓが開口部２１３内に流下する底壁２１０に形成された流下開口縁２１４となり、流下開口縁２１４は、底壁２１０の傾斜方向（遊技機１の左右方向）に沿って直線状に形成されている。また、流下開口縁２１４は、底壁２１０の底壁主部２１１の前縁と一致しており、底壁主部２１１の前縁の傾斜下流側部分が流下開口縁２１４となっている。また、開口部２１３の右側（底壁２１０の上流側）には、上述の流下阻止部５０１がある。なお、開口部２１３の右側に、底壁前部２１２を有する中間構成部材５０が配置されることにより、開口部２１３の右側の開口縁２１５は、中間構成部材５０の左側縁となる。
【００４５】
以上のことから開口部２１３は、左側の傾斜下壁２２０と、前側の前壁２４０と、底壁２１０の底壁主部２１１の前縁（流下開口縁２１４）と、中間構成部材５０（流下阻止部５０１）の左側縁（開口縁２１５）とに囲まれた部分となる。また、傾斜下壁２２０と前壁２４０との接合部には、後述する隅角曲面部２２１が傾斜下壁２２０（後構成部材３０）に形成されることにより、傾斜下壁２２０と前壁２４０とが直角に接合される隅角部にＲが付けられているので、開口部２１３の左前の角部は円弧上に面取りされた形状となっている。
【００４６】
また、開口部２１３の遊技機１の前後方向の幅（前後幅）は、整列案内流路１１０の遊技機１の前後方向の幅（遊技球Ｓの直径の約２．５倍：前後幅）と略等しくされており、開口部２１３の左右方向の幅（左右幅）は、開口部２１３の前後幅の約４倍（３倍以上が好ましい）とされている。従って、底壁主部２１１の前縁（流下開口縁２１４）と、前壁２４０との間隔は、開口部２１３の前後幅、すなわち、整列案内流路１１０の前後幅と等しくなる。そして、底壁主部２１１の前縁と前壁２４０との間の空間の下に整列案内流路１１０の案内底壁１１１が配置され、前壁２４０の底壁２１０より下側が整列案内流路１１０の前案内壁１１３となる。また、底壁主部２１１の前縁の下側に整列案内流路１１０の後案内壁１１２が案内底壁１１１まで略垂直に設けられている。また、中間構成部材５０は、底壁主部２１１の前縁と前壁２４０との間で、かつ、開口部２１３より底壁２１０の傾斜の上流側に配置されることで、整列案内流路１１０上に配置されている。
なお、底壁２１０のうちの整列案内流路１１０及び開口部２１３の後側となる底壁主部２１１の前後幅は、例えば、遊技球Ｓの直径の約５倍となっている。
【００４７】
また、底壁２１０の傾斜下流側端部の開口部２１３より後側（底壁主部２１１）には、傾斜下壁２２０との間に、開口部２１３（整列案内流路１１０）の前後幅とほぼ同じか僅かに狭い間隔を開けるとともに、傾斜下壁２２０と平行で、かつ、略鉛直方向に沿って段差壁２１６が設けられている。
そして、底壁２１０（底壁主部２１１）の段差壁２１６より（底壁２１０の傾斜の）上流側で、かつ、開口部２１３に前後に隣接する部分が平面部２１７とされている。そして、平面部２１７は、平面部２１７より（底壁２１０の傾斜の）上流側の底壁２１０と連続した底面を構成するようになっている。また、底壁２１０の段差壁２１６より（底壁２１０の傾斜の）下流側で、段差壁２１６と傾斜下壁２２０との間が平面部２１７より一段下がった（低くなった）段部２１８とされている。また、段部２１８は、平面部２１７より底壁２１０の傾斜の下流側で開口部２１３と前後に隣接している。
【００４８】
底壁２１０の平面部２１７は、それより底壁２１０の傾斜の上流側の部分と連続することから遊技機１の左右方向の一方に（左に向かって）下り傾斜するとともに、遊技機１の前後方向には略水平となっている。
一方、段部２１８は、流下開口縁２１４に向かって下り傾斜している。すなわち、段部２１８は、遊技機の前後方向の前側に向かって下り傾斜しており、段部２１８の後部より前部が低くなっている。そして、段部２１８上の遊技球Ｓが遊技機１の後から前に向かって流下するようになっている。また、段部２１８の上面の高さは、平面部２１７の段差壁２１６の部分における上面の高さより、例えば、遊技球Ｓの直径の略半分以上の距離、好ましくは遊技球Ｓの略直径以上の距離だけ低くなっている。
【００４９】
また、段部２１８は、左側の傾斜下壁２２０と右側の段差壁２１６とに囲まれて、遊技球Ｓを遊技機１の後から前に向かうように流下させるとともに、開口部２１３の流下開口縁２１４から開口部２１３を介して整列案内流路１１０の上端部に導出させる補助流路２１９となっている。
そして、補助流路２１９は、開口部２１３の流下開口縁２１４の部分で、後述するように遊技機１の左右方向にそって配置され、底壁２１０の傾斜方向とは反対方向に下り傾斜する整列案内流路１１０の始点側端部に直角に接合した状態となっている。補助流路２１９と整列案内流路１１０とが接合する流下開口縁２１４の部分では、補助流路２１９の終点側端部に対して整列案内流路１１０の始点側端部が一段（例えば、遊技球Ｓの直径以下で遊技球Ｓの半径程度）下がる段差となっている。
【００５０】
そして、補助流路２１９の幅（遊技機１の左右方向）及び整列案内流路１１０の幅（遊技機１の前後方向）は、それぞれ遊技球Ｓが２条に整列して流下可能な幅、すなわち、遊技球Ｓの直径の２倍より僅かに広い幅（整列案内流路１１０の幅は遊技球Ｓの直径の約２．５倍）とされており、補助流路２１９から整列案内流路１１０に遊技球Ｓを２条に整列させた状態で流下させられるようになっている。
なお、整列案内流路１１０の幅は、補助流路２１９の幅より僅かに広くなっている。また、補助流路２１９を流下する遊技球Ｓが整列案内流路１１０に流入して流下方向を直角に曲げる部分となる整列案内流路１１０の始点側端部、すなわち、傾斜下壁２２０と前壁２４０とで形成される隅角部（傾斜下壁２２０と前壁２４０との接合部）には、その内面を曲面とした隅角曲面部２２１が、整列案内流路１１０の底面から球貯留タンク２００上部まで形成されている。
【００５１】
また、隅角曲面部２２１は、後構成部材３０の傾斜下壁２２０の前壁２４０側の端部に一体的に形成されたもの、すなわち、隅角曲面部２２１は、後構成部材３０に一体的に形成されている。そして、隅角曲面部２２１は、整列案内流路１１０の傾斜下壁２２０側の端部において、遊技機１の前後方向の前側に向かうにつれて、補助流路２１９における遊技球の流下方向（前後方向）から整列案内流路１１０における遊技機の流下方向（左右方向）に向かうように湾曲することで曲面を構成している。そして、隅角曲面部２２１の端部の左右位置は、整列案内流路１１０の傾斜下壁２２０側の端より下流側で、補助流路２１９の右側縁、すなわち、段差壁２１６の左右位置よりも右側（整列案内流路の下流側）に位置している。すなわち、傾斜下壁２２０に形成された隅角曲面部２２１は、補助流路２１９の整列案内流路１１０の延長上において、補助流路２１９からの遊技球の流出口を整列案内流路１１０における遊技球Ｓの流下方向を除いて閉塞した状態となっている。
従って、補助流路２１９を流下して整列案内流路１１０の始点側の端部に流入した状態の遊技球Ｓにかかる補助流路２１９上流側の遊技球Ｓの荷重に基づく球圧は、裏機構盤本体１７０側の前壁２４０及び前案内壁１１３にではなく、後構成部材３０の傾斜下壁２２０に形成された隅角曲面部２２１に作用するようになっている。
【００５２】
そして、直角に接合する整列案内流路１１０と補助流路２１９との内周側の角部（段差壁２１６と後案内壁１１２（流下開口縁）とが接合する角部）から外周側の隅角曲面部２２１の内面への水平距離が遊技球Ｓの直径の２倍より僅かに長い長さ（２倍〜２，５倍）となっている。すなわち、隅角曲面部２２１の内面は、略、段差壁２１６と後案内壁１１２とが接合する角部の頂点を中心とし、半径が遊技球Ｓの直径の２倍より僅かに長く（２倍〜２，５倍）された略円弧状となっている。
【００５３】
そして、前壁２４０と傾斜下壁２２０とが直角に接合する部分で補助流路２１９の終点部分が、整列案内流路１１０の始点部分に直角に接合した状態となる際に、前壁２４０と傾斜下壁２２０とが接合する隅角部に上述のような隅角曲面部２２１を設けることにより、前記隅角部に遊技球Ｓが嵌り込むことがなくなり、補助流路２１９と整列案内流路１１０との接合部で円滑に遊技球Ｓを方向転換して流下させることができ、この部分での遊技球Ｓの球詰まりを防止することができる。
【００５４】
上述のような補助流路２１９を形成する段部２１８の左右幅（流下開口縁２１４に沿った幅）が上述のように遊技球Ｓの直径の２倍より僅かに広いものとされているのに対して平面部２１７の左右幅（流下開口縁２１４に沿った幅）は、段部２１８の幅の３倍（２倍以上）となる遊技球Ｓの直径の６倍程度とされている。
【００５５】
また、底壁２１０の開口部２１３の傾斜上壁側（底壁２１０の傾斜の上流側）の開口縁２１５の（底壁２１０の傾斜の）上流側には、開口縁２１５に隣接して、開口縁２１５からの遊技球Ｓの流下を阻止する流下阻止部５０１が、前壁２４０から後壁２５０方向に膨出するように設けられている。
なお、流下阻止部５０１は、前壁２４０から後壁２５０に向かって膨出した形状となっているが、実際には、前壁２４０と別体とされた中間構成部材５０の左端部に形成されている。
そして、流下阻止部５０１は、底壁２１０上に貯留される遊技球Ｓが乗り越えないように底壁２１０より高い位置に配置された天板５０２と、天板５０２の開口部２１３側（底壁２１０の傾斜の下流側）から下方に延出する開口縁壁５０３と、天板５０２の傾斜上壁２３０側（底壁２１０の傾斜の上流側）から下方に延出する阻止壁５０４と、開口縁壁５０３の後側縁と阻止壁５０４の後側縁とをつなぐとともに天板５０２から下方に延出する接続壁５０５と、天板５０２の前縁に当接する前壁２４０の流下阻止部５０１の前後に重なる部分とから下方（下面）が開放された箱状に形成されている。
【００５６】
天板５０２は、前壁２４０側の辺を前壁に平行な下底とし、後壁２５０側の辺を下底に平行で下底より短い上底とし、傾斜下壁２２０側の辺を下底及び上底と直角な垂辺とし、傾斜上壁２３０側の辺を前壁２４０から後壁２５０側に向かうにつれて底壁２１０の傾斜の下側に向かう斜辺とした台形状となっている。そして、天板５０２の前縁となる下底が上述のように前壁２４０に当接した状態となっている。また、天板５０２は、下底より上底側が低くなるように前壁２４０側から後壁２５０側に下り傾斜しており、天板５０２（流下阻止部５０１）上に載った遊技球Ｓが流下阻止部５０１上に溜まることなく、天板５０２上の遊技球Ｓを開口部２１３ではなく流下阻止部５０１より後の底壁２１０側に落下させるようになっている。
【００５７】
開口縁壁５０３は、隅角曲面部２２１を除く傾斜下壁２２０と平行となるように台形状の天板５０２の垂辺に沿って略垂直に配置されている。
また、開口縁壁５０３は、その上縁が天板５０２に沿って前から後に向かって傾斜する斜辺とされ、前縁と接続壁５０５に接合する後縁とが略鉛直方向に沿って互いに平行となった台形状となっている。
また、開口縁壁５０３は、開口部２１３の傾斜上壁２３０側（底壁２１０の傾斜の上流側）に配置されることにより、開口縁壁５０３の下辺部５０６が開口部２１３の傾斜上壁２３０側の開口縁２１５となる。すなわち、開口縁壁５０３は、開口部２１３の底壁２１０の上流側の開口縁２１５上にある。
【００５８】
開口縁壁５０３の下辺部５０６は、底壁２１０の平面部２１７の開口部２１３上への延長線より上方に配置されている。より詳しくは、開口縁壁５０３と同じ左右位置となるとともに開口縁壁５０３に平行に、底壁２１０の上面から底壁２１０の上面の延長となる延長線を引いた場合に、開口縁壁５０３の下辺部５０６の高さ位置が、前記延長線より、例えば、遊技球Ｓの略半径（もしくはそれ以上）の長さだけ高い位置となっている。すなわち、開口縁壁５０３の下辺部５０６（下側縁）は、左右方向に傾斜している底壁２１０の開口縁壁５０３の左右位置と同じ左右位置の高さより高くなっている。
このような構成により、整列案内流路１１０の下方に電気的遊技装置を配置するための大きな空間を確保するために整列案内流路１１０の取付位置を上方に上げて、球貯留タンク２００の底壁２１０に近づける構成とした場合に、整列案内流路１１０の案内底壁１１１と、流下阻止部５０１の下部との距離が近くなり、整列案内流路１１０上を流下する互いに上限重なった遊技球Ｓのうちの上の方にある遊技球Ｓが開口縁壁５０３の下端部に接触して、整列案内流路１１０における遊技球Ｓの流下が妨げられるのを防止することができる。
【００５９】
また、開口縁壁５０３の下辺部５０６の接続壁５０５と接合される底壁２１０側（後壁２５０側）の隅角部には、下辺部５０６の途中から底壁２１０に向けて斜め下方に延びる隅角拡張部（図示略）が形成されている。より詳しくは、開口縁壁５０３の下辺部５０６の接続壁５０５と接合される後縁から前に向かって遊技球Ｓの略半径程度の位置（途中）から下辺部５０６は、後に向かうにつれて低くなるように底壁２１０に向かって下り傾斜した形状とされることにより、下辺部５０６の後側隅角部が下方に突出（拡張）した状態とされて、上述の隅角拡張部が形成されている。従って、下辺部５０６の後側の端部だけは底壁２１０と略同じ高さ位置となっている。
【００６０】
このような構成により、平面部２１７上の開口縁壁５０３近傍の遊技球Ｓが整列案内流路１１０に流下する際に、遊技球Ｓが開口縁壁５０３の高くなった下辺部５０６の下から整列案内流路１１０の開口縁壁５０３より下流側に回り込むのを隅角拡張部が直接抑止するとともに、平面部２１７から整列案内流路１１０に流下する遊技球Ｓを整列案内流路１１０の傾斜方向と直交する方向に隅角拡張部が案内し、間接的に遊技球Ｓが開口縁壁５０３より下流側に回り込むのを防止する。このことにより、整列案内流路１１０の開口縁壁５０３より下流側で遊技球Ｓが上下に高く重なるのを防止し、遊技球Ｓを流下阻止部５０１及び底壁前部２１２の下側で円滑に流下させることができる。
【００６１】
また、開口縁壁５０３の傾斜下壁２２０に対向する面には、開口縁壁５０３の幅の略中央に、鉛直方向に沿うとともに、傾斜下壁２２０側に突出するリブ５０８（図５に図示）が形成されている。
なお、リブは、後述するように整列案内流路１１０の案内底壁１１１の幅の略中央に整列案内流路１１０（整列案内流路１１０の傾斜方向）に沿って上方に向けて突出するように設けられた区画壁１１５に対応しており、区画壁１１５の開口縁壁５０３の位置における上方への延長線に沿って（延長線と重なるように）設けられている。また、リブの突出方向は、底壁２１０の傾斜方向とは反対方向に下り傾斜する整列案内流路１１０の傾斜の上流側となっている。
このような構成とすることにより、整列案内流路１１０の後述する区画壁１１５上の上下に重なった遊技球Ｓのうちの上側の遊技球Ｓが区画壁１１５の延長線上にあるリブに接触すると、リブによりリブの左右に振り分けられ、開口縁壁５０３の下辺部５０６と区画壁１１５との間に遊技球Ｓがブリッジするのを防止することができる。すなわち、区画壁１１５に上下に積み重なることにより高くなった遊技球Ｓが開口縁壁５０３に接触した際に、リブにより左右に振り分けて、区画壁１１５上に遊技球Ｓが高く積み重なるのを防止することで、遊技球Ｓの流れが流下阻止部５０１により阻害されるのを防止できる。従って、開口縁壁５０３の下辺部５０６の高さ位置を上げた場合と同様に整列案内流路１１０を上方に上げて、球貯留タンク２００の底壁２１０に近づけても整列案内流路１１０における遊技球Ｓの流下が流下阻止部５０１の下部により妨げられるの防止できる。
【００６２】
流下阻止部５０１の阻止壁５０４は、傾斜上壁２３０と略対向するとともに、天板５０２の上述の斜辺に沿って、前側より後側が底壁２１０の傾斜の下流側となるように斜めに配置されている。従って、底壁２１０の傾斜に沿って流下した遊技球Ｓが阻止壁５０４により、底壁２１０の傾斜に沿って真っ直ぐに開口部２１３に流入するのを阻止された際に、上述の遊技球Ｓを阻止壁５０４の傾斜と底壁２１０の傾斜とにより、流下阻止部５０１より後側に案内するようになっている。そして、流下阻止部５０１より後側に案内された遊技球Ｓは、底壁２１０の傾斜に沿って傾斜下側に流下し、流下阻止部５０１の底壁２１０の傾斜上流側に遊技球Ｓが滞留するのを防止している。
【００６３】
また、阻止壁５０４はその下側縁部が底壁２１０（底壁前部２１２）の左縁部に接合された状態となっているとともに、阻止壁５０４の下側縁部と底壁前部２１２の左縁部とが接合する角部が面取りされた状態とされて斜面５０９となっている。斜面５０９は、底壁２１０の傾斜方向と逆に左から右に下り傾斜している。すなわち、斜面５０９は、整列案内流路１１０と同じ方向に下り傾斜している。
なお、阻止壁５０４の前部には、後述する低膨出部５１０が接続された状態となっており、底壁２１０の底壁前部２１２とは接続されておらず、斜面５０９は形成されていない。すなわち、斜面５０９は、阻止壁５０４の下端部の前部より後側に形成されている。また、阻止壁５０４と低膨出部５１０との接合部は、斜面５０９の上端より高い位置となっている。
【００６４】
上述のような斜面５０９により、整列案内流路１１０の開口縁壁５０３より下流側で遊技球Ｓが上下に高く重なってしまった場合でも、阻止壁５０４の下端部に接触する遊技球Ｓが斜面５０９に案内されて円滑に下流側に流れることになる。従って、開口縁壁５０３の下辺部５０６の高さ位置を上げた場合と同様に整列案内流路１１０を上方に上げて、球貯留タンク２００の底壁２１０に近づけても整列案内流路１１０における遊技球Ｓの流下が流下阻止部５０１の下部により妨げられるの防止できる。
【００６５】
流下阻止部５０１の接続壁５０５は、その上側縁が天板５０２と接続され左側縁が開口縁壁５０３と接続され、右側縁が阻止壁５０４と接続され下側縁が底壁２１０（底壁主部２１１）と接続されるようになっている。そして、接続壁５０５は、前壁２４０（後壁２５０）と略平行に配置されている。また、接続壁５０５の左右幅は、遊技球Ｓの直径のほぼ１．５倍となっている。
そして、流下阻止部５０１（開口縁壁５０３）の遊技機１の前後方向の幅は、開口部２１３の幅と同じ遊技球Ｓの直径の約２．５倍とされている。また、流下阻止部５０１の底壁２１０からの高さは、球貯留タンク２００内に貯留される遊技球Ｓ全体の平均的な高さより高くされ、流下阻止部５０１を遊技球Ｓが越えないように設定されており、例えば、遊技球Ｓの直径の約３倍とされている。なお、傾斜下壁２２０、傾斜上壁２３０、前壁２４０、後壁２５０の上辺は、流下阻止部５０１より高くなっている。
【００６６】
また、流下阻止部５０１の右側（底壁２１０の傾斜の上流側）には、前壁２４０から後壁２５０側に向かって膨出した状態の低膨出部５１０と、低膨出部５１０の右側で前壁２４０から後壁２５０側に向かって膨出した状態の高膨出部５１１とが設けられている。流下阻止部５０１と低膨出部５１０と高膨出部５１１とは、一体に中間構成部材５０に形成されている。
そして、低膨出部５１０の後面及び高膨出部５１１の後面は、同じ垂直面内にあるとともに、流下阻止部５０１の後面より前方（前壁２４０側）にあり、流下阻止部５０１が前壁２４０から後壁２５０に向かって遊技球Ｓの直径の約２．５倍程度膨出しているのに対して、低膨出部５１０及び高膨出部５１１は、前壁２４０から後壁２５０に向かって遊技球Ｓの略直径程度膨出した状態となっている。また、高膨出部５１１の左右幅は、流下阻止部５０１の左右幅より長く（例えば、２倍程度）、低膨出部５１０の左右幅は、高膨出部５１１の左右幅より長く（例えば、２倍弱程度）なっている。
【００６７】
また、低膨出部５０１の上面は、左右方向に底壁の傾斜方向とは逆に傾斜し、前後方向の後側（後壁２５０側）に向かって下り傾斜している。従って、底膨出部５１０上に載った遊技球は、底壁の傾斜とは逆方向、すなわち、流下阻止部５０１から離れる方向と、前壁２４０側から後壁２５０側に向かう方向に荷重がかかることになり、底膨出部５１０上に載った遊技球Ｓの球圧が流下阻止部５０１側にかかることにより、流下阻止部５０１の上流側で遊技球Ｓが大きな固まりとなるのを抑制して球詰まりを防止する。
また、低膨出部５１０の高さは、流下阻止部５０１に隣接する部分で底壁２１０から遊技球Ｓの略直径値度の高さとなっており、底壁２１０から遊技球Ｓの直径の約３倍の高さとなっている流下阻止部５０１の１／３程度の高さとなっている。
また、高膨出部５１１の上面は、底壁２１０と同じ方向にほぼ同じ角度で傾斜しており、前後方向は略水平となっている。また、高膨出部５１１の高さは、流下阻止部５０１より低くなっているが、低膨出部５１０より高くなっている。
また、高膨出部５１１内には、前壁２４０と高膨出部５１１の後部との間に球均し６０の上端部が左右方向に振り子状に回動自在（揺動自在）に支持されている。すなわち、高膨出部５１１は、球均し６０を支持する空間を形成するように前壁２４０から後方に箱状に膨出している。
【００６８】
なお、球均し６０は、整列案内流路１１０上に、整列案内流路１１０の傾斜方向（遊技球Ｓの流下方向）に沿って揺動自在な振り子状の部材で、整列案内流路１１０の案内底壁１１１上に上下に重なった遊技球Ｓを均して、球均し６０より下流側で案内底壁１１１上に遊技球Ｓが上下に重ならないようにするものである。なお、整列案内流路１１０の末端が接続される最少必要球検知ユニット１３０側にも構造の異なる球均し（図示略）があり、最少必要球検知ユニット１３０内では、遊技球Ｓが上下に重なることなく、遊技球Ｓが完全に左右２列とされている。また、球均し６０の取付構造を後に詳述する。
【００６９】
整列案内流路１１０は、上述の後構成部材３０の底壁主部２１１より前壁２４０側でかつ下側に形成された案内底壁１１１と、案内底壁１１１の後側で底壁主部２１１の前縁から下方に延出する後案内壁１１２と、前壁２４０の底壁２１０より下側となる前案内壁１１３とから樋状（断面凹形状）に形成されている。
また、整列案内流路１１０における遊技球Ｓの流下方向は、遊技機１の左から右とされ、球貯留タンク２００の底壁２１０上における遊技球Ｓの流下方向と反対方向となっている。すなわち、整列案内流路１１０の案内底壁１１１は、底壁２１０の傾斜方向とは反対方向に下り傾斜している。そして、整列案内流路１１０は、球貯留タンク２００の底壁２１０の傾斜下流側端部の下方、すなわち、底壁２１０の開口部２１３の下側を始点として、球貯留タンク２００の底壁の傾斜上流側端部より僅かに右側の位置を終点として、最少必要球検知ユニット１３０に接続されている。なお、開口部２１３と整列案内流路１１０の傾斜の上流となる始点部分とは、完全に上下に重なり、開口部２１３から流下した遊技球Ｓが全て整列案内流路１１０に流入する。
【００７０】
また、整列案内流路１１０の案内底壁１１１には、案内底壁１１１の幅方向の中央部に整列案内流路１１０の傾斜方向（遊技球Ｓの流下方向）に沿うとともに上方に向かって突出する区画壁１１５が形成されている。区画壁１１５は、整列案内流路１１０の上流側から下流側に向かうにつれて案内底壁１１１より上方に高くなるように形成されている。
また、案内底壁１１１には、区画壁の左右にそれぞれ整列案内流路１１０（の傾斜方向）に沿って複数のスリット１１６（開口部：図４，１１に図示）が形成されている。
スリット１１６は、区画壁１１５の左右に、それぞれ整列案内流路１１０に沿って整列案内流路１１０の上流側端部の少し下流側から下流側端部まで形成されているが、後述する突部１１７，１１８（図５，７，９，１０に図示）により、整列案内流路１１０に沿って所定の間隔（同じ間隔）で閉塞されて区切られた状態となっている。これにより、区画壁１１５を間に挟んで２列に複数のスリット１１６が並んだ状態となっている。また、案内底壁１１１の下方に突出する突部１１７，１１８が形成されてスリット１１６が閉塞された部分がスリット１１６と連続する溝１１９（図１０に図示）となっている。
【００７１】
突部１１７、１１８は、案内底壁１１１の底面（下面）の複数箇所に遊技機１の前後方向に沿うとともに案内底壁１１１の幅に渡って下方に突出した状態に形成されている。また、突部１１７、１１８は、整列案内流路１１０に沿って所定の間隔（整列案内流路１１０の下流側端部に設けられた突部１１７を除いて等間隔）を開けて複数設けられている。また、突部１１７，１１８は、その下面が後述する補助壁部４０（裏機構盤本体１７０）の整列案内流路支持部２４１上の支持リブ２４２（２列のリブからなる）、もしくは支持爪２４３の上面に当接する位置に配置されている。すなわち、整列案内流路１１０の案内底壁１１１の突部１１７（１１８）は、裏機構盤本体１７０の整列案内流路支持部２４１の支持突部（支持リブ２４２（支持爪２４３））上に載置されて支持される。
【００７２】
また、突部１１７、１１８のうちの一部の突部１１８には、支持爪２４３と係合する係止突起１１８ａ（図９，１０に図示）が形成されている。なお、突部１１７，１１８のうちの係止突起１１８ａを有する突部１１８は、支持突部のうちの支持爪２４３上に配置され、係止突起１１８ａを持たない突部１１７は、支持リブ２４２上に配置される。そして、突部１１８の係止突起１１８ａは、後述する整列案内流路支持部２４１の支持爪２４３に形成された係止孔２４８に係止され、遊技機１の後方への移動が規制されるようになっている。
なお、整列案内流路支持部２４１の支持爪２４３の左右両サイドの部分には、後方側が開放されるとともに前後に長いスリットが形成され、支持爪２４３を下方に弾性変形可能となっている。
また、後述するように、整列案内流路支持部２４１は、裏機構盤本体１７０の上部裏機構盤本体１７１における補助壁部４０（前案内壁１１３）の下側、すなわち、案内底壁１１１の下面に沿って裏機構盤本体１７０から後方に延設されたものである。
【００７３】
また、整列案内流路支持部２４１の支持突部（支持リブ２４２、支持爪２４３）は、整列案内流路支持部２４１の突部１１７，１１８に対応する位置に、突部１１７，１１８に当接するように遊技機前後方向にほぼ案内底壁１１１の幅に渡って上方に突出して設けられたものである。これら突部１１７，１１８及び支持突部（支持リブ２４２、支持爪２４３）により案内底壁１１１と整列案内流路支持部２４１との間にスリット１１６（開口部）から落下した落下物（ゴミ、ペレット）を溜める落下物貯留部２４９を形成している。
また、整列案内流路１１０の案内底壁１１１の前縁部には、該前縁部の略全幅に渡って、上方に突出する突条１１１ａが形成されている。
【００７４】
また、整列案内流路１１０の後側に隣接する底壁２１０の平面部２１７の左端部（段差壁２１６の部分）における底壁２１０の平面部２１７と整列案内流路１１０の案内底壁１１１との高低差は、例えば、遊技球Ｓの直径の約２倍とされ、平面部２１７の右端（流下阻止部５０１の開口縁壁５０３の部分）における底壁２１０の平面部２１７と整列案内流路１１０の案内底壁１１１との高低差は、例えば、遊技球Ｓの直径の約３倍とされている。
【００７５】
また、底壁２１０の遊技機１の左右方向の傾斜角は、例えば、３．１７９度とされ、整列案内流路１１０の底壁２１０とは逆の遊技機１の左右方向の傾斜角は、例えば、４度とされ、補助流路２１９の遊技機１の前後方向の傾斜角は、例えば、４．６８６度とされている。従って、底壁２１０の傾斜角＜整列案内流路１１０の傾斜角＜補助流路２１９の傾斜角となっている。これは、底壁２１０は、傾斜方向に直交する方向の幅が広く、かつ、底面が滑らかな平面となっていることから、遊技球Ｓの流下がスムーズに行われるのに対して、整列案内流路１１０は、傾斜方向に直交する方向の幅が狭く、さらに区画壁１１５があるとともに、案内底壁１１１にスリット１１６があるので、遊技球Ｓの流下する際の抵抗が多くなる。従って、整列案内流路１１０において遊技球Ｓをスムーズに流下させるために底壁２１０より整列案内流路１１０の方が大きな傾斜角とされている。
また、補助流路２１９においては、球貯留タンク２００から整列案内流路１１０に遊技球Ｓが流下する際の球詰まりを防止する上で、補助流路２１９において確実に遊技球Ｓが流下することが好ましく、底壁２１０及び整列案内流路１１０より補助流路２１９の方が大きな傾斜角とされている。
【００７６】
裏機構盤本体１７０は、図２に示す上裏機構盤１００（裏機構盤）に対応して逆Ｌ字状に形成され、図６に示すように、前面枠３の裏機構ベース部７の上部に沿って略水平に長く延在する上部裏機構盤本体１７１と、裏機構ベース部７の右側部に沿って略垂直に長く延在する側部裏機構盤本体１９０とに分割構成されている。
そして、上部裏機構盤本体１７１が上述の補助壁部４０を有するものであり、中間構成部材５０及び後構成部材３０と合わせて上述の球貯留タンク２００と整列案内流路１１０とを構成するものである。
【００７７】
上部裏機構盤本体１７１には、図６，７に示すように上述の前壁２４０及び前案内壁１１３を備えた補助壁部４０と、補助壁部４０の球貯留タンク２００の傾斜下側（左側）に隣接して一体に形成され、後構成部材３０と係合して止着される左止着係合部１７２と、補助壁部４０の球貯留タンク２００傾斜上側（右側）に隣接して、補助壁部４０の前壁２４０及び前案内壁１１３を右側に延長した状態の延設部１７３と、補助壁部４０（前案内壁１１３）及び延設部１７３の下辺部が整列案内流路１１０の傾斜に沿って一直線上とされ、この下辺部から後方に延設された上記整列案内流路支持部２４１とを有する。
【００７８】
補助壁部４０の前壁２４０は、上述の中間構成部材５０の低膨出部５１０の上部と重なる部分に、低膨出部５１０の上面を構成する天板部分の前端部から前方にほぼ水平に突出する円管状の被係合部５１２，５１２が係合する円孔状の係合孔４１，４１（係合部）が形成されている。
また、補助壁部４０の前壁２４０は、上述の中間構成部材５０の高膨出部５１１に覆われる部分に、球均し６０の上部の軸受孔部６１に挿通される回転支持軸４２を備えた軸支部４３を有する。軸支部４３においては、前壁２４０の内面（後面）に円形に凹んだ円凹部４４が形成され、円凹部４４の中心部から後方に向かって回転支持軸４２が水平に延出している。また、回転支持軸４２は、円管状に形成され、その先端部が開口しており、この回転支持軸４２の内部に連通する開口に、中間構成部材５０の高膨出部５１１の後板５１５側の内面に形成された突起５１４が挿入されて嵌合するようになっている。
【００７９】
また、補助壁部４０の前壁２４０及び前案内壁１１３の左側縁部には、後構成部材３０の傾斜下壁２２０の前端部の隅角曲面に対応する部分に、隅角曲面部２２１の上下幅及び左右幅より僅かに広く、かつ、僅かに凹む隅角凹部４５が形成され、この隅角凹部４５の右側部内に隅角曲面部２２１の前側縁部が入り込んだ状態となる。
また、補助壁部４０の前壁２４０の右側縁部には、後述する右止着係合部１７９の左側面に形成された受部材１８７の上面に近接して矩形状の孔である係合孔４６（係合部）が形成されている。なお、係合孔４６には、中間構成部材５０の傾斜上壁前部２３２の前端部から前方に延出し、係合孔４６に対応した断面矩形状の被係合部５１３が挿入されて回転不可能に係合する。
【００８０】
また、補助壁部４０（前案内壁１１３）及び延設部１７３の下辺部が整列案内流路１１０の傾斜に沿って一直線上とされた部分の整列案内流路支持部２４１の直上には、整列案内流路支持部２４１の上面に沿って凹ませることにより整列案内流路支持部２４１の上面に沿った係合溝部４１４が形成されている。
この係合溝部４１４には、上述の整列案内流路１１０の案内底壁１１１の前縁部に形成された突条１１１ａが挿入されて係合するようになっている。
【００８１】
左止着係合部１７２は、傾斜下壁２２０の外面に沿って上下に延在するとともに前方に開放して内部が空洞の状態で後方に膨出するベース部１７４と、ベース部１７４から後方に延出する有蓋円筒状で、かつ、先端面にビスを螺合させるビス孔を有するボス１７５と、ボス１７５の上方に間隔を開けてベース部１７４から後方に突出し、かつ、ボス１７５より径の大きな円筒状の上係合管１７６と、ボス１７５の下方に間隔を開けてベース部１７４から後方に突出し、かつ、上係合管１７６と略同径の下係合管１７７とを有する。
【００８２】
延設部１７３には、後構成部材３０の傾斜上壁の外側に形成された右取付部に対応して形成された右止着係合部１７９と、そのさらに右側に形成されて外部端子部１６０を収納する外部端子収納部１８０と、外部端子収納部１８０の下に形成されて側部裏機構盤本体１９０が係合して止着される側部取付部１８１と、側部取付部１８１の下に形成された切欠部１８２と、切欠部１８２の左に設けられ、前壁２４０から連続する板状の延設部１７３の本体に対して僅かに前にずれて接合された板状で、かつ、後述するように最少必要球検知ユニット１３０と、側部裏機構盤本体１９０とに挟まれる被挟持部１８３と、被挟持部１８３から後方に突出し、最少必要球検知ユニット１３０を締結するためのボス１８４と、整列案内流路支持部２４１の右端部の下側に形成され、前方に開口する略有底筒状の締結部２４５とを備える。
【００８３】
右止着係合部１７９は、断面が上下両端が円弧状とされた上下に長い概略矩形状で、後方に向かって延出した状態に設けられている。そして、後端面には、上下にビスをねじ込むためのビス孔１８５、１８５が設けられるとともに、上下のビス孔の間に係合突起１８６が設けられている。
また、右止着係合部１７９の左側面には、前後に水平に延在するリブ状の受部材１８７が形成されている。
【００８４】
外部端子収納部１８０は、その周囲が後方に一段後退した状態に膨出した形状の膨出部１７１ａとされるとともに、膨出部１７１ａは、前壁２４０の延長面から後方に突出して膨出した部分を囲む周囲壁１７１ｂと、周囲壁１７１ｂに囲まれた部分の後面を形成する後板１７１ｃとを有する。そして、外部端子収納部１８０は、膨出部１７１ａの右上の角部の後板１７１ｃが前方に箱状に突出した状態とされることにより凹んだ状態に形成されている。すなわち、外部端子収納部１８０は、正面矩形状で箱状の凹部となっており、凹部内に正面矩形の外部端子部１６０を挿入可能となっている。
【００８５】
側部取付部１８１は、膨出部１７１ａの外部端子収納部１８０の下側に形成され、膨出部１７１ａの下辺を形成する周囲壁１７１ｂの一部と、その上の箱状の外部端子収納部１８０との間に左右に並んで前方に水平に突出して設けられた二つの筒状係合部１８１ａ、１８１ａを有するとともに膨出部１７１ａの後板１７１ｃの二つの筒状係合部１８１ａのそれぞれの中心部となる部分にビスを挿通させる挿通孔１８１ｂが形成されている。
そして、側部取付部１８１は、後述する側部裏機構盤本体１９０の係合締結部１９１が、上側の外部端子収納部１８０と、下側の周囲壁１７１ｂとの間に係合するとともに、係合締結部１９１のボス１９２，１９２が筒状係合部１８１ａ内に挿入されて係合し、挿通孔１８１ｂ、１８１ｂを有する後板１７１ｃとボス１９２、１９２とがビスで締結されるようになっている。
【００８６】
被挟持部１８３は、後述するように逆Ｌ字状の最少必要球検知ユニット１３０の上辺となる左側に向かって延設された球受入部１３２と、側部裏機構盤本体１９０の上部に左側に向かって延設されたフランジ部１９３との間に挟持されることにより、上部裏機構盤本体１７１と、側部裏機構盤本体１９０とを強固に接合するようになっている。
なお、最少必要球検知ユニット１３０の球受入部１３２には、被挟持部１８３に設けられた筒状のボス１８４を挿入する図示しない挿入筒部が形成され、挿入筒部にボス１８４が挿入されて被挟持部１８３と球受入部１３２とがビスで締結されるようになっている。なお、最少必要球検知ユニット１３０は後述するように側部裏機構盤本体１９０とも締結されるので、上部裏機構盤本体１７１と側部裏機構盤本体１９０とは、直接接合されるだけではなく、最少必要球検知ユニット１３０を介して接合されるようになっている。
【００８７】
締結部２４５は、整列案内流路支持部２４１の右端部の下側に上述のように前方が開放した略有底筒状に形成され、底部にビスを挿通する挿通孔２４６が形成されている。また、略有底筒状の締結部２４５の右側部には切欠部２４７が形成されている。
そして、締結部２４５には、側部裏機構盤本体１９０のフランジ部１９３の下部に設けられたボス１９４が挿入されてビスにより締結されるとともに、側部裏機構盤本体１９０の後述する左側壁部１９５の切欠部１９５ａを有する上端部が、締結部２４５の切欠部２４７に嵌り込み、これにより締結部２４５が完全な筒状となる。
【００８８】
側部裏機構盤本体１９０は、上下に長く延在する矩形板状の基板部１９０ａの上端部に係合締結部１９１が設けられている。また、側部裏機構盤本体１９０においては、基板部１９０ａの上端部から左側に延設するフランジ部１９３と、基板部１９０ａの中央部に形成され、最少必要球検知ユニット１３０を締結するためのボス１９６と、基板部１９０ａの左側縁部に沿うとともに、該左側縁部から後方に延出する左側壁部１９５と、基板部１９０ａの右側縁部に沿うとともに、該右側縁部から後方に延出する右側壁部１９７と、右側壁部１９７との間に球抜き経路１５０を構成するように右側壁部１９７の下半分に沿って形成された球抜き経路壁１９８と、基板部１９０ａの下部に構成され、下部流路１４０の左右の案内壁を構成する下部流路形成壁部１４２とを備える。
【００８９】
係合締結部１９１は、側部裏機構盤本体１９０の基板部１９０ａの上端部を左右に長い矩形状に囲んで後方に突出する囲み壁１９１ａと、囲み壁１９１ａ内に左右に配置された二つのボス１９２とを備えている。そして、囲み壁１９１ａが、上述のように、側部取付部１８１の部分、すなわち、上側の外部端子収納部１８０と、下側の周囲壁１７１ｂとの間に係合した状態で、二つのボス１９２が筒状係合部１８１ａ内に挿入されて係合し、挿通孔１８１ｂ、１８１ｂを有する後板１７１ｃとボス１９２、１９２とが、挿通孔１８１ｂ、１８１ｂを介してボス１９２．１９２の先端のビス孔に螺合するビスにより締結される。
【００９０】
フランジ部１９３は、上述のように最少必要球検知ユニット１３０との間に上部裏機構盤本体１７１の被挟持部１８３を挟持するものであるとともに、被挟持部１８３に形成された筒状のボス１８４の基端部の開口に挿入されて係合して位置決め等として機能する係合突起１９３ａと、上部裏機構盤本体１７１の整列案内流路支持部２４１の右端部に設けられた締結部２４５と締結するボス１９４とが設けられている。
【００９１】
また、係合締結部１９１の下から球抜き経路壁１９８の上までで、かつ、左側壁部１９５から右側壁部１９７まで部分が最少必要球検知ユニット１３０を収納するユニット収納部１３０ａとなっている。また、側部裏機構盤本体１９０の基板部１９０ａのユニット収納部１３０ａ内に、最少必要球検知ユニット１３０に形成された図示しない係合筒部に挿入されて最少必要球検知ユニット１３０と締結されるボス１９６が形成されている。
また、ユニット収納部１３０ａの下から下部流路形成壁部１４２の上までで、かつ、左側壁部１９５から、右側壁部１９７に平行な球抜き経路壁１９８までの部分が、球排出装置１２０を収納する排出装置収納部１２０ａとなっている。
【００９２】
また、上述の下部流路形成壁部１４２と、右側壁部１９７及び球抜き経路壁１９８の間（球抜き経路１５０に対応する部分）とは、それぞれ後方が開放された状態となっており、蓋部１４１により、これらの後方が閉塞されることで、下部流路１４０及び球抜き経路１５０が形成される。
【００９３】
そして、上裏機構盤１００は、上部裏機構盤本体１７１と、側部裏機構盤本体１９０とを接合するとともに、上部裏機構盤本体１７１と側部裏機構盤本体１９０の接合部に最少必要球検知ユニット１３０を取り付け、側部裏機構盤本体１９０に、球排出装置１２０、蓋部１４１、カバー１０１を取り付けることで形成される。
【００９４】
ここで、上部裏機構盤本体１７１と側部裏機構盤本体１９０の接続構造を説明する。
図６及び図８に示すように、上部裏機構盤本体１７１の膨出部１７１ａの下部に設けられた側部取付部１８１に側部裏機構盤本体１９０の係合締結部１９１を係合させるとともに、側部取付部１８１の筒状係合部１８１ａ、１８１ａに係合締結部１９１のボス１９２、１９２を挿入させて係合させ、かつ、上部裏機構盤本体１７１の被挟持部１８３のボス１８４の基端部の開口に側部裏機構盤本体１９０のフランジ部１９３の係合突起１９３ａを係合させ、さらに、上部裏機構盤本体１７１の整列案内流路支持部２４１の右端部下の締結部２４５に、フランジ部１９３のボス１９４を挿入して係合させた状態となっている。以上の構成により組み立て時には、位置決めされることになる。
【００９５】
そして、側部裏機構盤本体１９０のボス１９２，１９２が上部裏機構盤本体１７１の膨出部１７１ａの側部取付部１８１の部分の後板１７１ｃにビスにより締結され、同じく側部裏機構盤本体１９０のボス１９４が締結部２４５にビスにより締結されて、側部裏機構盤本体１９０と上部裏機構盤本体１７１とが止着される。
さらに、この状態で、上部裏機構盤本体１７１の被挟持部１８３と、側部裏機構盤本体１９０のユニット収納部１３０ａとに跨って、最少必要球検知ユニット１３０がセットされ、最少必要球検知ユニット１３０が被挟持部１８３のボス１８４と、ユニット収納部１３０ａのボス１９６に係合するとともにビスにより締結されて止着されることにより、上部裏機構盤本体１７１の被挟持部１８３が側部裏機構盤本体１９０のフランジ部１９３と最少必要球検知ユニット１３０の球受入部１３２とに挟まれた状態となり、これにより側部裏機構盤本体１９０と上部裏機構盤本体１７１とが強固に固定される。
【００９６】
次ぎに、上述のように球貯留タンク２００と整列案内流路１１０とを構成する上部裏機構盤本体１７１（補助壁部４０）と、中間構成部材５０と、後構成部材３０との接合構造を説明する。
ここで、球貯留タンク２００の底壁主部２１１、傾斜下壁２２０、傾斜上壁主部２３１及び後壁２５０と、整列案内流路１１０の案内底壁１１１及び後案内壁１１２を一体に形成した後構成部材３０の接合のための構造と、底壁前部２１２、傾斜上壁前部２３２及び流下阻止部５０１を一体に形成した中間構成部材５０の接合のための構造とを説明する。
【００９７】
後構成部材３０の傾斜上壁主部２３１の前縁部には、傾斜上壁２３０と直角（前壁２４０と平行）に外側（右側）に延設された右取付板部３１（取付部）と、傾斜下壁２２０の外面の隅角曲面部２２１の後に隣接する部分に上下に延在して設けられた左取付部３２（取付部）と、案内底壁１１１の前縁部に設けられた突条１１１ａと、案内底壁１１１の下面に形成された突部１１８の係止突起１１８ａとを有する。
【００９８】
右取付板部３１は、後案内壁１１２と一体に板状に形成されるとともに、上部裏機構盤本体１７１の右止着係合部１７９と当接する位置に形成されている。そして、右取付板部３１には、右止着係合部１７９の後端面に形成されたビス孔１８５、１８５と前後に重なる位置にビス孔１８５，１８５に螺合するビスを挿通する挿通孔３１１、３１１が互いに前後に間隔を開けて形成されている。また、右取付板部３１には、右止着係合部１７９の後端面のビス孔１８５，１８５同士間に形成された係合突起１８６に前後に重なる位置に、係合突起１８６と係合する係合孔３１２が形成されている。
【００９９】
左取付部３２は、傾斜下壁２２０と直角（前壁２４０と平行）に外側（左側）に延設された延設板３２１と、延設板３２１の傾斜下壁２２０との接合部を除く周囲を囲む周壁３２２と、延設板３２１の周壁３２２内の前面に上から順に上下に並んで形成された円状開口部（図示略）、円筒締結部３２４及び円筒係合部３２５とを備える。
そして、左取付部３２の周壁３２２と傾斜下壁２２０とで囲まれる部分に、上部裏機構盤本体１７１の左止着係合部１７２の上係合管１７６と、下係合管１７７の先端部が挿入されて係合されるとともに、左取付部３２の下部の円筒係合部３２５が左止着係合部１７２の下係合管１７７内に挿入されて係合させられ、さらに、円筒締結部３２４に、左止着係合部１７２のボス１７５の後端部が挿入されて係合させられている。そして、円筒締結部３２４にボス１７５がビスにより締結される。なお、左取付部の前記円状開口部は、左止着係合部１７２の上係合管１７６の内部と連通した状態とされる。
【０１００】
案内底壁１１１の前縁部に設けられた突条１１１ａは、上部裏機構盤本体１７１の整列案内流路支持部２４１の上面に沿って形成された係合溝部４１４に挿入されて係合し、突条１１１ａの前面に左右に離間して設けられた複数の突起状係合部１１１ｂは、係合溝部４１４に形成された係合孔４１５に挿入されて係合する。
また、案内底壁１１１の下面に形成される突部１１８の係止突起１１８ａは、上部裏機構盤本体１７１の整列案内流路支持部２４１の支持爪２４３に形成された係止孔２４８に係止され、案内底壁１１１（後構成部材３０）の後方への移動を規制する。
【０１０１】
なお、支持爪２４３は、整列案内流路支持部２４１に対して上述のように下方に弾性変形可能となっており、支持爪２４３を下方に弾性変形することにより、支持爪２４３の係止孔２４８と、案内底壁１１１の突部１１８の係止突起１１８ａとの係止及び係止解除が可能となっている。
以上の構成から、上部裏機構盤本体１７１の係合溝部４１４に形成された係合孔４１５に、係合溝部４１４に係合した後構成部材３０の案内底壁１１１の突条１１１ａに設けられた突起状係合部１１１ｂが係合することにより、上部裏機構盤本体１７１に対して案内底壁１１１（後構成部材３０）の左右方向と上下方向と前方向への移動が規制された状態で、上部裏機構盤本体１７１の整列案内流路支持部２４１に形成された支持爪２４３の係止孔２４８に、後構成部材３０の案内底壁１１１の突部１１８の係止突起１１８ａを係止して、案内底壁１１１（後構成部材３０）の後方への移動を規制することにより、上部裏機構盤本体１７１に案内底壁１１１（後構成部材３０）が仮固定された状態となり、右止着係合部１７９と右取付板部３１とのビスによる止着と、左止着係合部１７２と左取付部３２とのビスによる止着を容易に行うことができる。
【０１０２】
次ぎに、後構成部材３０の中間構成部材５０との接合構造について説明する。
後構成部材３０の底壁主部２１１の前縁部と後案内壁１１２の上縁部とが直角に接合する角部のうちの中間構成部材５０の後部と当接する部分は、その内側に図示しない補強部が形成されて肉厚に形成され、これら角部の外側は、断面Ｌ字状に切り欠かれた形状の横Ｌ字状溝部３３となっている。この横Ｌ字状溝部３３では、その内面側において底壁主部２１１の前壁２４０と平行とされた前端面と、後案内壁１１２の底壁２１０と平行とされた上端面とが露出するとともに互い直角に接合された状態となっている。そして、横Ｌ字状溝部３３内面のうちの底壁主部２１１の前端面に、中間構成部材５０の底壁前部２１２の後端面及び流下阻止部５０１の接続壁５０５の下端部の後面が当接し、横Ｌ字状溝部３３内面のうちの後案内壁１１２の上端面に中間構成部材５０の底壁前部２１２の後端部の下面及び流下阻止部５０１の接続壁５０５の下端面が当接するようになっている。
【０１０３】
また、後構成部材３０の傾斜上壁主部２３１の前縁部と右取付板部３１の左縁部とが直角に接合する角部には、その内側に補強部３４が形成されて肉厚に形成され、これら角部の外側は、断面Ｌ字状に切り欠かれた形状の縦Ｌ字状溝部３５となっている。この縦Ｌ字状溝部３５では、その内面側において傾斜上壁主部２３１の前壁２４０と平行とされた前端面と、右取付板部３１の前壁２４０と直角とされた左端面とが露出するとともに互いに直角に接合された状態となっている。そして、縦Ｌ字状溝部３５内面のうちの傾斜上壁主部２３１の前端面に、中間構成部材５０の傾斜上壁前部２３２の後端面が当接し、縦Ｌ字状溝部３５内面のうちの右取付板部３１の左端面に傾斜上壁前部２３２の後端部の右側面が当接するようになっている。
【０１０４】
また、後案内壁１１２の上端の横Ｌ字状溝部３３の部分には、左右に間隔を開けて複数の係合長孔３６，…が形成されている。係合長孔３６は、上述のように縦Ｌ字状溝部３５の内面の一部として露出した後案内壁１１２の上端部に、上端部に沿って左右に延在する浅い切り欠き部を形成した形状となっている。そして底壁主部２１１の前端部により切り欠き部の上部が塞がれた状態となり、切り欠き部の部分が左右に長いスリット状の係合長孔３６となる。また、係合長孔３６の上辺部は、底壁主部２１１の下面に沿った状態となっており、後述するように中間構成部材５０の板状挿入部５１６を係合長孔３６に挿入した際に、板状挿入部５１６の上面が底壁主部２１１の底面に面接触するようになっている。
【０１０５】
中間構成部材５０には、その低膨出部５１０の上面を構成する天板部分の前端部から後方に延出する二つの円管状の被係合部５１２，５１２が設けられている。被係合部５１２，５１２は、互いに左右に間隔を開けるとともに、上部裏機構盤本体１７１の前壁２４０に形成された係合孔４１，４１と前後に重なる位置に配置され、係合孔４１，４１に挿入されて係合するようになっている。
また、中間構成部材５０の傾斜上壁前部２３２には、その外面側に傾斜上壁前部２３２の略全幅に渡って前後に水平に延在するリブ状の被支持部５１７が形成されている。
【０１０６】
被支持部５１７は、上部裏機構盤本体１７１の右止着係合部１７９の左側面に形成されたリブ状の受部材１８７上に載置された状態に係合するようになっており、受部材１８７上に被支持部５１７が載った状態となることにより、中間構成部材５０の右端部側が上部裏機構盤本体１７１に支持された状態となる。
また、中間構成部材５０の傾斜上壁前部２３２の前端面には、傾斜上壁前部２３２と一体に形成され、傾斜上壁前部２３２と同じ厚みで前方に突出する、断面矩形上の被係合部５１３が形成されている。
被係合部５１３は、被支持部５１７より僅かに上に形成されるとともに、上部裏機構盤本体１７１の前壁２４０の右止着係合部１７９より僅かに左で、受部材１８７より上に形成された係合孔４６と前後に重なる位置に配置され、係合孔４６に挿入されて係合するようになっている。
【０１０７】
中間構成部材５０の底壁前部２１２の後端部には、左右に互いに間隔を開けて水平に後方に延出する板状の板状挿入部５１６，…が形成されている。
板状挿入部５１６，…は、底壁前部２１２後端部の下面から後方に延出しており、底壁前部２１２の厚み分だけ底壁前部２１２より低い位置に配置されている。
そして、板状挿入部５１６，…は、後構成部材３０の底壁主部２１１と後案内壁１１２とが接合する角部に形成された横Ｌ字状溝部３３に形成された係合長孔３６，点に挿入される。
そして、板状挿入部５１６，…の上面を底壁主部２１１の下面に面接触させるとともに、底壁前部２１２の後端部の下面を横Ｌ字状溝部３３の内面の一部となる後案内壁１１２の上端面に面接触させることにより、中間構成部材５０の底壁前部２１２の後端部は、後構成部材３０の後案内壁１１２の上端面に載って支持された状態で、中間構成部材５０の荷重により底壁前部２１２の前部が下方に移動するように（中間構成部材５０が底壁前部２１２の後端部を中心に回転移動するように）力がかかるが、板状挿入部５１６の上面が底壁主部２１１の下面に面接触することにより、前記移動が阻止されるとともに、板状挿入部５１６の上面を底壁主部２１１の下面に押しつけるとともに、底壁前部２１２の後端部を後案内壁１１２の上端面に押しつけるように中間構成部材の荷重に基づく力が採用する。
【０１０８】
従って、後構成部材３０と上部裏機構盤本体１７１とを、それらの間に中間構成部材５０を挟んで固定した場合に、中間構成部材５０が強固に接合される。また、組み立て時に、単に、板状挿入部５１６を係合長孔３６に挿入させるだけでも、板状挿入部５１６の上面と底壁主部２１１の下面との間の摩擦力と、底壁前部２１２の後端部と後案内壁１１２の上端面との間の摩擦力と、上述のような回転移動が阻止されることにより、後構成部材３０から中間構成部材５０が簡単に外れないように仮固定された状態とすることができる。
【０１０９】
また、上述のように中間構成部材５０と後構成部材３０とを係合させることにより、底壁前部２１２の後端と底壁主部２１１の前端とが突き合わされて、これらから底壁２１０が構成されることになるが、底壁前部２１２の後端と底壁主部２１１の前端とを突き合わせた際に、底壁主部２１１の上面より底壁前部２１２の上面が僅かに高くなるようになっている。これにより、底壁主部２１１と底壁前部２１２との接合部上に遊技球Ｓが有る場合に、遊技球Ｓは、底壁主部２１１と底壁前部２１２との接合部上から底壁主部２１１側に移動するようになっている。
【０１１０】
また、中間構成部材５０の高膨出部５１１の後面を形成する後板５１５に突起５１４が形成されている。高膨出部５１１は、少なくとも前方と下方とが開放し、内部が空洞となったもので、整列案内流路１１０上に球均し６０を遊技球の流下方向にそって揺動自在に取付けるための空間を形成するものである。そして、中間構成部材５０を挟んだ状態で後構成部材３０と上部裏機構盤本体１７１とを後述するように接合する際に、上部裏機構盤本体１７１の回転支持軸４２を球均し６０の軸受孔部６１に挿通させた状態で、中間構成部材５０を後述するように上部裏機構盤本体１７１に取付けると、軸受孔部６１の後端開口に突起５１４が挿入されて係合され、これにより回転支持軸４２の後端部を中間構成部材５０に支持させるようになっている。
【０１１１】
なお、上述の上部裏機構盤本体１７１及び側部裏機構盤本体１９０とからなる裏機構盤本体１７０は、成型性、２次加工性に優れるとともに耐衝撃性及び剛性に優れ、かつ比較的安価なＡＢＳ樹脂を成型したものである。一方、後構成部材３０及び中間構成部材５０は、成型性、加工性はＡＢＳ樹脂に劣り、価格もＡＢＳ樹脂より高いが、ＡＢＳ樹脂より高い対衝撃性を有するとともに高い透明性を有するポリカーボネート（ＰＣ）樹脂を成型したものである。
なお、球貯留タンク２００及び整列案内流路１１０の主要部となることで、遊技球Ｓによる負荷が高い後構成部材３０及び中間構成部材５０にＰＣ樹脂を用い、これらよりは遊技球Ｓによる負荷が少ない裏機構盤本体１７０にＡＢＳ樹脂を用いることにより、上裏機構盤１００の全体の耐久性を高めるとともにコストの低減を図ることができる。また、遊技盤の背面側に配置される後構成部材及び中間構成部材が透明性が高いＰＣ樹脂とされることで、遊技球Ｓの目視による確認が極めて容易である。
【０１１２】
次ぎに、上部裏機構盤本体１７１、中間構成部材５０及び後構成部材３０の組み立て方法を説明する。
まず、上部裏機構盤本体１７１もしくは後構成部材３０に、中間構成部材５０を仮固定する。
上部裏機構盤本体１７１に中間構成部材５０を仮固定する場合には、中間構成部材５０の低膨出部５１０の前端部に設けられた被係合部５１２、５１２を上部裏機構盤本体１７１の前壁２４０に形成された係合孔４１，４１に挿入するとともに、中間構成部材５０の傾斜上壁前部２３２の前端部に形成された被係合部５１３を上部裏機構盤本体１７１の前壁２４０に形成された係合孔４６に挿入する。これにより、中間構成部材５０の前端部が複数箇所で位置決めされた状態で、上部裏機構盤本体１７１に係合した状態となる。この状態では、中間構成部材５０の傾斜上壁前部２３２の外面に水平に形成された被支持部５１７が、上部裏機構盤本体１７１の右止着係合部１７９の左側面に水平に形成された受部材１８７上に載って、受部材１８７の上面と被支持部５１７の下面とが面接触した状態となる。これにより、前端部を上部裏機構盤本体１７１に係合させた中間構成部材５０の後端部が自身の荷重により下方に回転移動しようとするのが防止され、上部裏機構盤本体１７１から中間構成部材５０が落ちないように仮固定された状態となる。
【０１１３】
また、上部裏機構盤本体１７１と中間構成部材５０とを取り付ける際には、その前に、上部裏機構盤本体１７１の軸支部４３の回転支持軸４２に球均し６０を上述のように取り付けておく。そして、上述のように上部裏機構盤本体１７１に中間構成部材５０を取り付けると、回転支持軸４２の先端部の開口に、中間構成部材５０に形成された高膨出部５１１の後板５１５の突起５１４が挿入されて係合し、回転支持軸４２の両端部がそれぞれ上部裏機構盤本体１７１と中間構成部材５０とに支持された状態で、回転支持軸４２に球均し６０が回転自在に支持される。
【０１１４】
また、後構成部材３０に中間構成部材５０を仮固定する場合には、中間構成部材５０の底壁前部２１２の前端部に形成された板状挿入部５１６を、後構成部材３０の底壁主部２１１と後案内壁１１２とが接合する角部に形成された横Ｌ字状溝部３３に形成された係合長孔３６に挿入させるとともに、底壁前部２１２の後端部を後構成部材３０の横Ｌ字状溝部３３に係合させることで、上述のように後構成部材３０から中間構成部材５０が容易に外れないように、後構成部材３０に中間構成部材５０を仮固定することができる。
【０１１５】
次ぎに、上部裏機構盤本体１７１もしくは後構成部材３０に中間構成部材５０を仮固定した状態で、上部裏機構盤本体１７１もしくは後構成部材３０を接合する。この際には、中間構成部材５０と仮固定されていない上部裏機構盤本体１７１もしくは後構成部材３０とを上述のように係合させるとともに、上部裏機構盤本体１７１と後構成部材３０とを、中間構成部材５０を挟むようにして以下のように係合させる。
上部裏機構盤本体１７１の右止着係合部１７９に、後構成部材３０の右取付板部３１を係合させる。すなわち、右止着係合部１７９の係合突起１８６を右取付板部３１の係合孔３１２に挿入して係合させる。
また、上部裏機構盤本体１７１の左止着係合部１７２に左取付部３２を係合させる。すなわち、左取付部３２の周壁３２２と傾斜下壁２２０とで囲まれる部分に、左止着係合部１７２の上係合管１７６と、下係合管１７７の先端部を挿入して係合するとともに、左取付部３２の下部の円筒係合部３２５を左止着係合部１７２の下係合管１７７内に挿入して係合させ、さらに、円筒締結部３２４に、左止着係合部１７２のボス１７５の後端部を挿入して係合する。
【０１１６】
また、上部裏機構盤本体１７１の前壁２４０の係合溝部４１４に、後構成部材３０の案内底壁１１１の前縁部に設けられた突条１１１ａを挿入するとともに、突条１１１ａに形成された突起状係合部１１１ｂを係合溝部４１４に形成された係合孔４１５に挿入して係合する。
さらに、案内底壁１１１の下面に形成される突部１１８の係止突起１１８ａを、上部裏機構盤本体１７１の整列案内流路支持部２４１の支持爪２４３に形成された係止孔２４８に係止し、案内底壁１１１（後構成部材３０）の後方への移動を規制する。
【０１１７】
これにより、案内底壁１１１は、支持爪２４３を弾性変形させて、係止孔２４８から係止突起１１８ａを外さないと、上部裏機構盤本体１７１から外れない状態となり、上部裏機構盤本体１７１に後構成部材３０が中間構成部材５０を間に挟んだ状態で仮固定される。
この状態で、右取付板部３１の挿通孔３１１，３１１からビスを通し、右止着係合部１７９のビス孔１８５，１８５に螺合することで、右止着係合部１７９と右取付板部３１とを締結し、左取付部３２の円筒締結部３２４から左止着係合部１７２のボス１７５にビスを螺合して左取付部３２と左止着係合部１７２とを締結する。
【０１１８】
このように、上部裏機構盤本体１７１、中間構成部材５０及び後構成部材３０とを接合することで、球貯留タンク２００及び整列案内流路１１０が形成される。
このような球貯留タンク２００及び整列案内流路１１０における遊技球Ｓの流れは、以下のようになる。
球排出装置１２０で遊技球Ｓの排出を行っていない状態では、球排出装置１２０で遊技球Ｓが止められた状態となり、下側の球排出装置１２０から上側に順に、球排出装置１２０内の流路、最少必要球検知ユニット１３０内の流路、整列案内流路１１０、球貯留タンク２００内に遊技球Ｓが溜まることになる。
【０１１９】
そして、底壁２１０が遊技機１の左右方向の一方向に下り傾斜していることにより、遊技球Ｓの荷重に基づいて底壁２１０上の遊技球Ｓには、底壁２１０の上流側から下流側に球圧が作用することになる。
ここで、球排出装置１２０において遊技球Ｓの払い出しが行われると、上裏機構盤１００の下側から順次遊技球Ｓが流下し、球貯留タンク２００から整列案内流路１１０に遊技球Ｓが流下可能な状態となる。
ここで、底壁２１０の傾斜の下流側の部分に形成された開口部２１３から整列案内流路１１０に遊技球Ｓが流下することになるが、開口部２１３の底壁２１０の傾斜の上流側には、隣接して流下阻止部５０１があるので、開口部２１３の底壁２１０の傾斜の上流側の開口縁２１５からは開口部２１３内に遊技球Ｓが流入できない。
【０１２０】
従って、遊技球Ｓは、開口部２１３の後側の流下開口縁２１４側から開口部２１３に流入し、整列案内流路１１０に至る。この際に、開口部２１３の流下開口縁２１４に隣接する底壁２１０の部分には、底壁２１０の傾斜の上流側が平面部２１７となり、平面部２１７より底壁２１０の傾斜の下流側が段部２１８（補助流路２１９）となる。
そして、平面部２１７においては、平面部２１７から開口部２１３（整列案内流路１１０）に向かう方向（遊技機１の後から前に向かう方向）の傾斜がほぼ０度、すなわち、略水平となっているので、底壁２１０の平面部２１７から開口部２１３に向かう圧を最小限にすることができる。従って、平面部２１７から開口部２１３に遊技球Ｓが流下する部分において、上部裏機構盤本体１７１と後構成部材３０とを引き剥がす方向に遊技球Ｓの球圧が作用するのを抑制することができる。
なお、平面部２１７においては、底壁２１０の傾斜により開口部２１３の流下開口縁２１４に対して平行となる方向への力がかかっているが、平面部２１７においては、傾斜方向以外の方向に対しても遊技球Ｓが上流側から押されることにより横に拡がろうとし、僅かに平面部２１７から開口部２１３に向かう力がかかる。しかし、これは僅かな力なので、平面部２１７から開口部２１３に遊技球Ｓを流下させるように作用するが、平面部２１７から開口部２１３の部分で遊技球Ｓを大きな固まりにするようなことがなく、遊技球Ｓを平面部２１７から開口部２１３にスムーズに流すことができる。
【０１２１】
一方、補助流路２１９においては、底壁２１０の傾斜の上流側から大きな球圧がかかることになるが、補助流路２１９は、底壁２１０や整列案内流路１１０より大きな傾斜角で開口部２１３側に下り傾斜しているので、遊技球Ｓを開口部２１３に流下させることができる。
従って、底壁２１０の開口部２１３に前後に隣接する部分では、平面部２１７から開口部２１３へ至る流下経路と、補助流路２１９から開口部２１３へ至る流下経路とがある。
ここで、整列案内流路１１０の平面部２１７が隣接する部分は、補助流路２１９が隣接する部分より、整列案内流路１１０の傾斜の下流側となっており、整列案内流路１１０では、下流側から、順次、遊技球Ｓが流れるので、整列案内流路１１０の補助流路２１９より下流側の平面部２１７から整列案内流路１１０に遊技球Ｓが流下してしまうと、それより整列案内流路１１０の上流側の補助流路２１９からは遊技球Ｓが流下しずらい状態となる。
【０１２２】
さらに、平面部２１７の開口部２１３の流下開口縁２１４に隣接する幅が、補助流路２１９が開口部２１３の流下開口縁２１４に隣接する幅より２倍以上広いので、補助流路２１９より平面部２１７から開口部２１３に遊技球Ｓが流下しやすい状態となっている。
従って、平面部２１７から開口部２１３への流下経路が底壁２１０から開口部２１３に遊技球が流下する際の主流となり、補助流路２１９の流下経路よりも平面部２１７の流下経路からより多くの遊技球Ｓが開口部２１３を介して整列案内流路１１０に流下することになり、上述のように平面部２１７から開口部２１３にスムーズに遊技球Ｓが流下する。
なお、補助流路２１９においては、上述のように底壁２１０や整列案内流路１１０より大きな傾斜角で傾斜していることにより、上述のように平面部２１７から先に整列案内流路１１０の下流側に遊技球Ｓが流下しても、補助流路２１９から少しずつ遊技球Ｓが開口部２１３を介して整列案内流路１１０に流下する。
【０１２３】
補助流路２１９においては、整列案内流路１１０側に下り傾斜していることから、遊技球Ｓの球圧が球貯留タンク２００の前壁２４０（前案内壁１１３）側にかかることになり、上部裏機構盤本体１７１と後構成部材３０とを引き離す方向に球圧がかかるが、補助流路２１９の整列案内流路１１０への接続部分において、補助流路２１９における遊技球の流下方向を整列案内流路１１０における流下方向に変換する隅角曲面部２２１が補助流路２１９から整列案内流路１１０に至る遊技球Ｓの球圧を受ける位置にあるとともに、隅角曲面部２２１が後構成部材の傾斜下壁２２０と一体となっているので、補助流路２１９上の遊技球Ｓによる球圧は、上部裏機構盤本体１７１側にかかることがない。従って、補助流路２１９が前壁２４０（整列案内流路１１０）側に向かって下り傾斜していても、補助流路２１９の傾斜に基づく球圧は、後構成部材の隅角曲面部２２１が受けることになり、上部裏機構盤本体１７１と後構成部材３０との止着部分かかる負荷を軽減して、上裏機構盤１００の耐用年数を延ばすことができる。
【０１２４】
そして、上述のように球貯留タンク２００から整列案内流路１１０への流下経路が、平面部２１７からの流下経路と、補助流路２１９からの流下経路とがあることから、どちらか一方の流下経路に遊技球Ｓの大きな固まり（遊技球Ｓ同士のブリッジ）が生じるなどして遊技球Ｓが流下しない状態となっても、他方の流下経路から遊技球Ｓが流下することになり、確実に球貯留タンク２００から整列案内流路１１０に遊技球Ｓを流下させることができる。
【０１２５】
また、球貯留タンク２００内の遊技球Ｓが少なくなった場合に、平面部２１７が開口部２１３側に下り傾斜していないので、平面部２１７から開口部２１３に遊技球Ｓが流下しない可能性があるが、平面部２１７は、補助流路２１９に向かって傾斜しているので、平面部２１７上の遊技球Ｓは、補助流路２１９に流入する。そして、補助流路２１９は、開口部２１３に向かって下り傾斜しているので、補助流路２１９に流入した遊技球は、確実に開口部２１３に流入して整列案内流路１１０に遊技球を排出する。従って、平面部２１７（底壁２１０）が前後方向に水平となっていても、補助流路２１９により、球貯留タンク２００内の遊技球Ｓを空にするような場合に、球貯留タンク２００内に遊技球Ｓが残留するのを防止することができる。
また、上述のように流下阻止部５０１より上流側の底壁２１０が底壁前部２１２と底壁主部２１１とを突き合わせて構成されていても、底壁前部２１２の上面が底壁主部２１１の上面より高くなっているので、底壁前部２１２と底壁主部２１１とのつなぎ目部分で、遊技球Ｓが止まってしまうことなく、底壁主部２１１側へ流下し、底壁主部２１１から開口部２１３を介して整列案内流路１１０に流下する。
従って、流下阻止部５０１の上流側の部分において底壁前部２１２と底壁主部２１１とのつなぎ目部分で遊技球Ｓが引っかかり、流下阻止部５０１の上流側、すなわち、底壁前部２１２に遊技球Ｓが残ってしまうのを防止できる。
【０１２６】
以上のような本発明の遊技機１によれば、球貯留タンク２００と整列案内流路１１０とからなる球貯留供給構造が、球貯留タンク２００の前壁２４０及び整列案内流路１１０の前案内壁１１３を一体に形成した裏機構盤本体１７０（上部裏機構盤本体１７１）と、球貯留タンク２００の底壁２１０の一部（底壁前部２１２）、傾斜上壁２３０の一部（傾斜上壁前部２３２）及び流下阻止部５０１を一体に形成した中間構成部材５０と、球貯留タンク２００の底壁主部２１１、傾斜上壁主部２３１、傾斜下壁２２０及び後壁２５０と整列案内流路１１０の案内底壁１１１及び後案内壁１１２とを一体に形成した後構成部材３０とに分割されているので、後構成部材３０は、球貯留タンク２００の傾斜上壁主部２３１、傾斜下壁２２０、後壁２５０とからなる箱を半分に分割した構造（断面略Ｌ字状）と、整列案内流路１１０の案内底壁１１１と後案内壁１１２とからなる断面略Ｌ字状の構造とからなり、極めて成型が容易な構造となる。
すなわち、前方と上方とが略開放した状態の極めて金型が作成しやすい形状となる。
【０１２７】
また、裏機構盤本体１７０の上部裏機構盤本体１７１は、球貯留タンク２００及び整列案内流路１１０の部分を見れば、前壁２４０及び前案内壁１１３を一体に形成した板状の極めて成型が容易な構造となる。
また、球貯留タンク２００の形状を複雑化する流下阻止部５０１を裏機構盤本体１７０及び後構成部材３０とは別の中間構成部材５０に設けたので、流下阻止部５０１により球詰まりを防止可能としても、裏機構盤本体１７０や後構成部材３０が複雑になることがない。また、中間構成部材５０も底壁前部２１２、傾斜上壁前部２３２及び流下阻止部５０１を一体に形成した成型が容易な構造となる。
【０１２８】
また、球貯留タンク２００と整列案内流路１１０とからなる球貯留供給構造が、裏機構盤本体１７０と、中間構成部材５０と、後構成部材３０との三つの部材からなることにより、成型に必要な金型は、裏機構盤本体１７０、球貯留タンク２００、整列案内流路１１０とを別部材とした場合と同様に三つ必要になるが、裏機構盤本体１７０と、中間構成部材５０と、後構成部材３０とがそれぞれ簡単な構造なので、簡単な構造の金型で製造が可能となり、金型のコストを低減できる。特に、球貯留タンク２００に流下阻止部５０１を設けた場合に、球貯留タンク２００の形状が複雑化し、球貯留タンク２００を一体に形成しよとすると複雑な形状の金型が必要になるが、球貯留タンク２００が裏機構盤本体１７０の前壁２４０と、中間構成部材５０の流下阻止部５０１等と、後構成部材３０の底壁主部２１１、傾斜上壁主部２３１、傾斜下壁２２０及び後壁２５０とに分けることで、簡単な構造で成型しやすいものにできる。
【０１２９】
また、裏機構盤本体１７０に一体に整列案内流路１１０の前案内壁１１３があり、この前案内壁１１３に、後構成部材３０に形成された案内底壁１１１及び後案内壁１１２が接続されて樋状の整列案内流路１１０が形成されるようになっているので、従来のように裏機構盤本体に樋状の整列案内壁が接合されて、案内底壁の前側に、壁が二重に形成された状態となることがないので、使用する材料を削減してコストの低減を図ることができる。
【０１３０】
また、上述のように流下阻止部５０１が、裏機構盤本体１７０及び後構成部材３０との両方に対して別部材の中間構成部材５０に設けられているので、流下阻止部５０１を設けて球詰まりを防止できる構成としても、裏機構盤本体１７０や後構成部材３０が成型の困難な複雑な形状となることがなく、上述のように容易に成型することができる。特に、流下阻止部５０１が後構成部材３０の案内底壁１１１や後案内壁１１２と別部材となっていることにより、整列案内流路１１０を高い位置に配置するために、整列案内流路１１０と流下阻止部５０１が上下に近接する複雑な構造となっても、上述のように容易に成型可能な構成となる。従って、整列案内流路１１０を高い位置に配置し、整列案内流路１１０の下側の遊技盤裏面に対応する位置に大型の電気的遊技装置を配置するための空間を確保することができる。
すなわち、流下阻止部５０１及びそれにつながる底壁前部２１２や傾斜上壁前部２３２を後構成部材３０とは別体の中間構成部材５０としたので、整列案内流路１１０上に流下阻止部５０１を一体に設けるような複雑な形状とされることなく、かつ、案内底壁１１１の上方をほぼ開放した構造とすることが可能なので、整列案内流路１１０を高く配置するために、流下阻止部５０１を有する球貯留タンク２００と整列案内流路１１０とを近接させても、後構成部材３０を極めて成型の容易な簡単な構造とすることができる。
【０１３１】
なお、底壁２１０の開口部２１３の下に配置される整列案内流路１１０の上には、開口部２１３の上流側に配置される流下阻止部５０１と、流下阻止部５０１の上流側の底壁２１０の一部となる底壁前部２１２と、傾斜上壁２３０の一部となる傾斜上壁前部２３２が配置されるが、これを一体の中間構成部材５０とすることが可能で、整列案内流路１１０上を開放した状態とすることができる。
【０１３２】
また、裏機構盤本体１７０と後構成部材３０との間に中間構成部材５０を挟んで、裏機構盤本体１７０に後構成部材３０を取り付けることができるので、球貯留タンク２００と整列案内流路１１０とからなる球貯留供給構造が、裏機構盤本体１７０と、中間構成部材５０と、後構成部材３０との三つの部材からなるものとしても極めて容易に上裏機構盤１００に球貯留タンク２００と整列案内流路１１０を設けた状態とすることができる。
【０１３３】
また、遊技機１においては、平面部２１７及び段部２１８から流下開口縁２１４を通るとともに開口部２１３を介して整列案内流路１１０に遊技球Ｓが流下することになるが、その際の遊技球Ｓの流下方向は、球貯留タンク２００の後壁２５０側から前壁２４０側に向かうものとなる。また、裏機構盤本体１７０側に球貯留タンク２００の前壁２４０と整列案内流路１１０の前案内壁１１３とがあり、その他の球貯留タンク２００及び整列案内流路１１０の部分が、裏機構盤本体１７０に後から取り付けられる中間構成部材５０及び後構成部材３０にある。従って、遊技球Ｓが後壁２５０側から前壁２４０側に遊技機１の後から前に向かって流下すると、後構成部材３０及び中間構成部材５０から裏機構盤本体１７０を引き剥がすように力が働く可能性があるが、平面部２１７が遊技機１前後方向に水平となっているので、平面部２１７において遊技球Ｓの荷重に基づく球圧が、後構成部材３０及び中間構成部材５０を裏機構盤本体１７０から引き剥がす向きに作用するのを抑制することができる。
【０１３４】
また、段部２１８の補助流路２１９においては、開口部２１３に上端部を望ませた整列案内流路１１０方向に下り傾斜しているので、補助流路２１９上の遊技球Ｓの荷重が球圧として前壁２４０側、すなわち、補助流路２１９を構成する傾斜下壁２２０と接合して隅角部を形成する前壁２４０の端部に作用することになるが、補助流路２１９を構成する傾斜下壁２２０と前壁２４０で形成される隅角部、すなわち、補助流路２１９の整列案内流路１１０上の流下先となる隅角部の内面を曲面とする隅角曲面部２２１が後構成部材３０側にあるので、上述の球圧を後構成部材３０の隅角曲面部２２１が受けることになり、裏機構盤本体１７０に球圧がかからない。
【０１３５】
以上のことから、球貯留タンク２００及び整列案内流路１１０を裏機構盤本体１７０側と後構成部材３０（及び中間構成部材５０）側とに分け、球貯留タンク２００内の遊技球Ｓが後構成部材３０側から裏機構盤本体１７０側に流下して整列案内流路１１０に至るものとしても、裏機構盤本体１７０と、後構成部材３０とを引き剥がすように遊技球の球圧が作用するのを防止して、裏機構盤本体１７０と後構成部材３０との取付部分に負荷がかかるのを防止できる。
【０１３６】
また、遊技機１においては、裏機構盤本体１７０と後構成部材３０との間に中間構成部材５０を挟んで、裏機構盤本体１７０に後構成部材３０を取り付ける際に、裏機構盤本体１７０の前壁２４０の左右外側の止着係合部（左止着係合部１７２、右止着係合部１７９）に、後構成部材３０の傾斜下壁２２０及び傾斜上壁２３０（傾斜上壁主部２３１）のそれぞれの外側に形成された取付部（左取付部３２、右取付板部３１）を係合させて止着することにより、裏機構盤本体１７０に後構成部材３０を取り付ける。
この際に、中間構成部材５０は、例えば、裏機構盤本体１７０の係合部（係合孔４１，４１及び係合孔４６）に被係合部５１２，５１２及び被係合部５１３を係合させるとともに止着係合部（右止着係合部１７９）に形成された受部材１８７に被支持部５１７を係合させ、かつ、後構成部材３０の後案内壁１１２に形成された係合長孔３６，…に板状挿入部５１６，…を挿入させることで、裏機構盤本体１７０と後構成部材３０とに固定される。
【０１３７】
すなわち、裏機構盤本体１７０に後構成部材３０を止着することにより、中間構成部材５０も固定されることになり、球貯留供給構造が三つの部材からなるものとしても、容易に組み立てることができる。
また、中間構成部材５０は、裏機構盤本体１７０の前壁２４０の係合部（係合孔４１，４１、４６）と、裏機構盤本体１７０の前壁２４０の外側の止着係合部（右止着係合部１７９）に形成された受部材１８７とで裏機構盤本体１７０に支持され、後構成部材３０の係合長孔３６に板状挿入部５１６を挿入させるとともに板状挿入部５１６を後構成部材３０の底壁主部２１１の下面に面接触（係合）させることで支持されるので、中間構成部材５０を裏機構盤本体１７０及び後構成部材３０に挟むだけの構成としても、中間構成部材５０は、裏機構盤本体１７０及び後構成部材３０に強固に組み付けられる。
【０１３８】
また、裏機構盤本体１７０に後構成部材３０を取り付ける前に、中間構成部材５０を裏機構盤本体１７０もしくは後構成部材３０に係合さておく必要があるが、例えば、中間構成部材５０を先に裏機構盤本体１７０に係合させた場合には、裏機構盤本体１７０に後構成部材３０を取り付ける間、裏機構盤本体１７０の係合部（係合孔４１，４１、４６）と受部材１８７とにより容易に裏機構盤本体１７０に中間構成部材５０を支持させた状態に保つことができ、中間構成部材５０を先に後構成部材３０に係合させた場合には、裏機構盤本体１７０に後構成部材３０を取り付ける間、後構成部材３０の係合長孔３６に板状挿入部５１６を挿入させるとともに板状挿入部５１６を後構成部材３０の底壁主部２１１の下面に面接触させることで、後構成部材３０に中間構成部材５０を支持させた状態に保つことができる。従って、間に中間構成部材５０を挟んだ状態で容易に裏機構盤本体１７０と後構成部材３０と接合することができる。
【０１３９】
また、球貯留タンク２００の遊技球Ｓが少なくなった場合に、中間構成部材５０の底壁前部２１２と、後構成部材３０の底壁主部２１１とを突き合わせた接合部に例えば溝が生じてしまうと、遊技球Ｓがその溝の部分で止まってしまい流れなくなる可能性があるが、中間構成部材５０の底壁前部２１２と、後構成部材３０の底壁主部２１１とが突き合わされるとともに、底壁主部２１１の上面より底壁前部２１２の上面が高くなっているので、遊技球Ｓが底壁２１０の中間構成部材５０と後構成部材３０との接合部上で止まることがなく、中間構成部材５０の底壁前部２１２側から後構成部材３０の底壁主部２１１側に流れることになる。
また、中間構成部材５０の底壁前部２１２側は、流下阻止部５０１と傾斜上壁前部２３２と一体に構成される部材であることから、基本的に流下阻止部５０１の底壁２１０の傾斜上流側の部分であり、この部分では遊技球Ｓは、底壁２１０の傾斜方向に流下すると流下阻止部５０１に流下を阻止される。従って、中間構成部材５０の底壁前部２１２上の遊技球Ｓを後構成部材３０の底壁主部２１１側に誘導する必要があり、例えば、流下阻止部５０１の底壁２１０上流側から流下する遊技球Ｓを流下阻止部５０１が底壁主部２１１側に誘導する形状となっている必要がある。ここで、中間構成部材５０の底壁前部２１２と後構成部材３０の底壁主部２１１との突き合わせ部分で、底壁主部２１１の上面より底壁前部２１２の上面が低くなってしまうと、底壁前部２１２から底壁主部２１１への遊技球の移動が妨げられ、流下阻止部５０１の上流側に遊技球Ｓが残留する原因となってしまう。従って、上述のように底壁主部２１１の上面より底壁前部２１２の上面を高くするように設計しておくことで、製造誤差等が生じても、底壁前部２１２の上面が底壁主部２１１の上面より低くなって遊技球Ｓが残留するのを防止することができる。
【０１４０】
また、遊技機１においては、整列案内流路１１０を裏機構盤本体１７０の前案内壁１１３と、後構成部材３０の案内底壁１１１及び後案内壁１１２とに二分割するものとしても、案内底壁１１１が裏機構盤本体１７０の整列案内流路支持部２４１により下方から支持されて、整列案内流路１１０が強固なものとなる。
すなわち、案内底壁１１１と前案内壁１１３とが別部材となっていることから、基本的に案内底壁１１１は、後案内壁１１２に片持（片支持）された状態となるとともに、球貯留タンク２００においても、前壁２４０と前案内壁１１３に接合される底壁２１０（底壁主部２１１）とが別部材とされることから、底壁２１０が後壁２５０に片支持された状態なるが、案内底壁１１１の下に裏機構盤本体１７０の整列案内流路支持部２４１が配置され、案内底壁１１１を支持することにより、案内底壁１１１及び底壁２１０が両支持された状態となり、強固な構造となる。また、案内底壁１１１の前端を前案内壁１１３に接合させれば、案内底壁１１１を両支持した状態となるが、案内底壁１１１の前端を前案内壁１１３に強固に接合構造とすると、接合に手間がかかる。それに対して、整列案内流路支持部２４１上に案内底壁１１１を載置する構造とすれば、案内底壁１１１を前案内壁１１３側に容易かつ強固に接合することができる。
【０１４１】
また、遊技球Ｓに紛れてゴミが球貯留タンク２００に侵入したような場合に、案内底壁１１１の開口部（スリット１１６）からゴミ（落下物）を落下させることができ、かつ、ゴミを整列案内流路支持部２４１上の落下物貯留部２４９に溜めることができるので、ゴミが整列案内流路１１０の下方の電気的遊技装置等に落下して悪影響を与えるのを防止できる。なお、遊技球Ｓは、ペレット（研磨剤）と共に撹拌されることにより、洗浄、研磨されるが、このペレットが補給される遊技球Ｓに紛れ込むことがあり、上述のような構造により紛れ込んだペレットも除去できる。
【０１４２】
また、上述のような遊技機１においては、整列案内流路１１０を上下に重なって流下する遊技球Ｓを均す球均し６０を備え、
前記中間構成部材５０は、前記裏機構盤本体１７０（上部裏機構盤本体１７１）の前壁２４０との間に間隔を開けて対向する支持壁（後板５１５）を有するとともに、前記前壁２４０との間に球均し６０を支持するための空間を形成する球均し保持部（高膨出部５１１）を備え、
前記前壁２４０の支持壁（後板５１５）と対向する面に、支持壁（後板５１５）に延出し、前記球均し６０を回転自在に軸支する回転支持軸４２を設け、
前記支持壁（後板５１５）に回転支持軸４２の先端部と係合する係合支持部（突起５１４）を設けたことを特徴としている。
【０１４３】
これにより、裏機構盤本体１７０の回転支持軸４２に球均し６０を取付けた状態で、裏機構盤本体１７０と中間構成部材５０とを上述のように接合することで、回転支持軸４２が支持壁（後板５１５）の係合支持部（突起５１４）に支持される。従って、回転支持軸４２が両支持の状態になり、上述のように裏機構盤本体１７０と中間構成部材５０とを接合するだけで強固に球均し６０を回転自在に支持することができる。
【０１４４】
また、上述のような遊技機１においては、裏機構盤本体１７０を、
前記後構成部材３０及び中間構成部材５０が取付けられる上部裏機構盤本体１７１と、
遊技球Ｓの払い出しを行う球排出装置１２０、及び整列案内流路１１０から球排出装置１２０に遊技球Ｓを誘導する誘導ユニット（最少必要球検知ユニット１３０）が取付けられる側部裏機構盤本体１９０とに分割構成し、
上部裏機構盤本体１７１と側部裏機構盤本体１９０との組付け部（被挟持部１８３及びユニット収納部１３０ａ）に、誘導ユニット（最少必要球検知ユニット１３０）を上部裏機構盤本体１７１から側部裏機構盤本体１９０に跨らせて取り付け、
上部裏機構盤本体１７１を側部裏機構盤本体１９０と誘導ユニット（最少必要球検知ユニット１３０）とが挟むようにして上部裏機構盤本体１７１と側部裏機構盤本体１９０とを組み付けたことを特徴としている。
【０１４５】
上述のような構成とすることにより、裏機構盤本体１７０を二分割して取り扱い易いサイズとした状態としても、上部裏機構盤本体１７１と側部裏機構盤本体１９０とを強固に接合することができ、裏機構盤本体１７０の強度が低下するのを防止することができる。
【０１４６】
なお、本発明はこの実施の形態のパチンコ遊技機に限られるものではなく、例えば、その他のパチンコ遊技機、アレンジボール遊技機、雀球遊技機などの弾球遊技機や、その他の遊技球を遊技媒体として利用し、遊技球の払い出しを行う遊技機に適用することができる。
さらに、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１４７】
【発明の効果】
本発明によれば、流下阻止部を有する球貯留タンク及び整列案内流路からなる球貯留供給構造を裏機構盤本体、中間構成部材及び後構成部材の３分割構造とすることにより、球貯留タンクを流下阻止部により球詰まりを防止する複雑な構造としても、球貯留タンク及び整列案内流路からなる球貯留供給構造を容易かつ安価に成型して簡単に組み立てられる構成とすることができる。
【図面の簡単な説明】
【図１】本発明の実施の形態の遊技機としてのパチンコ遊技機を示す斜め裏側からの斜視図である。
【図２】上記パチンコ遊技機を示す斜め裏側からの分解斜視図である。
【図３】上記パチンコ遊技機の球貯留タンク及び整列案内流路を有する上裏機構盤を示す斜め上方側からの斜視図である。
【図４】上記上裏機構盤を示す平面図である。
【図５】上記上裏機構盤を示す断面図である。
【図６】上記上裏機構盤を示す分解斜視図である。
【図７】上記上裏機構盤の上部裏機構盤本体、中間構成部材、後構成部材を示す分解斜視図である。
【図８】上記上裏機構盤の上部裏機構盤本体と側部裏機構盤本体との接合構造を示す断面図である。
【図９】上記上部裏機構盤本体と、中間構成部材と、後構成部材との接合構造を示す断面図である。
【図１０】上記上部裏機構盤本体と、中間構成部材と、後構成部材との接合構造を示す切断部端面図である。
【図１１】上記上部裏機構盤本体と、中間構成部材と、後構成部材との接合構造を示す切断部端面図である。
【符号の説明】
Ｓ        遊技球
１        遊技機
３        前面枠
３０      後構成部材
３１      右取付板部（取付部）
３２      左取付部（取付部）
３６      係合長孔
４１      係合孔（係合部）
４６      係合孔（係合部）
５０      中間構成部材
１１０    整列案内流路
１１１    案内底壁
１１２    後案内壁
１１３    前案内壁
１１６    スリット（開口部）
１１８    突部
１７０    裏機構盤本体
１７１    上部裏機構盤本体
１７２    左止着係合部（止着係合部）
１７９    右止着係合部（止着係合部）
１９０    側部裏機構盤本体
２００    球貯留タンク
２１０    底壁
２１１    底壁主部
２１２    底壁前部（底壁の一部）
２１３    開口部
２１４    流下開口縁
２１５    開口縁
２１７    平面部
２１８    段部
２１９    補助流路
２２０    傾斜下壁
２２１    隅角曲面部
２３０    傾斜上壁
２３１    傾斜上壁主部
２３２    傾斜上壁前部（傾斜上壁の一部）
２４０    前壁
２４１    整列案内流路支持部
２４２    支持リブ（支持突部）
２４３    支持爪（支持突部）
２５０    後壁
５０１    流下阻止部
５１２    被係合部
５１３    被係合部
５１６    板状挿入部
５１７    被支持部
【図１】
2005007060.tif 000003
【図２】
2005007060.tif 000004
【図３】
2005007060.tif 000005
【図４】
2005007060.tif 000006
【図５】
2005007060.tif 000007
【図６】
2005007060.tif 000008
【図７】
2005007060.tif 000009
【図８】
2005007060.tif 000010
【図９】
2005007060.tif 000011
【図１０】
2005007060.tif 000012
【図１１】
2005007060.tif 000013